(57)【要約】  開示の照明装置および照明システムは、一次電源に接続するための接続部と、バッテリーなどの二次側電源とを有する。測定回路は、一次入力電力接続部のインピーダンスを測定し、その測定値から、幹線側電力が故障しているか否か、もし故障しているのであれば、照明の電源を二次電源からの電力を用いるか否かを決定する。【選択図】  図１
2014512648.tif 000002
【特許請求の範囲】
【請求項１】
１つ以上の光源と、１つの光源に電力供給するために一次電力を一次電源から受ける一次入力電力接続部と、１つの光源に電力供給するために二次電力を二次電源から受ける二次入力電力接続部とを有してなる照明装置を制御する方法であって、
電力障害時に前記二次電源からの電力が１つの光源への電源に用いられるように、前記２つの入力電力接続部で受電した電力を使って前記１つ以上の光源への電力送電を制御する工程と、
前記一次入力電力接続部への接続時の外部インピーダンスを、測定パルスを前記一次入力電力接続部に印加して前記外部インピーダンスのインピーダンス測定値を得ることにより、感知する感知工程と、
前記制御工程は、前記電力送電を前記測定インピーダンスに応じて制御する、ことを特徴とする照明装置の制御方法。
【請求項２】
前記感知工程は、前記測定パルスを前記一次入力電力接続部に印加して前記一次入力電力接続部上の過渡信号を検出し、この検出から、前記一次入力電力接続部への接続時の外部インピーダンスを示す測定値が決定されたとする、ことを特徴とする請求項１の方法。
【請求項３】
前記測定値を用いて、前記一次入力電力接続部に接続された手動スイッチが開状態か閉状態にあるかを決定する工程を含む、ことを特徴とする請求項１の方法。
【請求項４】
前記決定に基づいて、（ｉ）使用時には前記照明装置に接続されるスイッチをユーザが開にすることにより、前記一次電源が前記一次入力電力接続部から外されていることと、（ｉｉ）一次電源故障とを識別する工程と、一次電源故障を受けて、前記二次電源から電力を前記照明装置に供給して非常時照明機能を提供する工程とを具備する、ことを特徴とする請求項３の方法。
【請求項５】
前記一次入力電力接続部に印加される測定パルス間の持続時間と時間間隔との少なくとも一方を変更する工程を含む、請求項１乃至４のいずれかに記載の方法。
【請求項６】
前記一次入力電力接続部に印加される測定パルス間の時間間隔を、前記二次電源の充電状態に応じて、変更する工程を含む、請求項５に記載の方法。
【請求項７】
この照明装置は異なる動作モードを複数有し、前記一次入力電力接続部に印加される測定パルス間の時間間隔を、現在の動作モードにある時間に応じて、変更する工程を含む、請求項５または６に記載の方法。
【請求項８】
前記測定パルス間の時間間隔をランダムまたは擬似ランダムに変化させる工程を含む、請求項５乃至７のいずれかに記載の方法。
【請求項９】
複数の前記測定パルスについて前記外部インピーダンスの測定値を決定する工程と、２つ以上の測定値を結合して平均測定値を決定する、請求項１乃至８のいずれかに記載の方法
【請求項１０】
前記一次入力電力接続部に、測定電圧パルス及び／又は測定電流パルスを印加する工程を含む、請求項１乃至９のいずれかに記載の方法。
【請求項１１】
照明の制御装置であって、
一次電源に接続された一次入力電力接続部と、
二次電源から二次電力を受電する二次入力電力接続部と、
１つまたは複数の照明装置への電力供給を制御する電子回路と、
を具備し、
前記電子回路は、前記一次入力電力接続部に接続されて使用されているときの外部インピーダンスを感知するように構成された感知回路を有し、  この感知回路は、測定パルスを前記一次入力電力接続部に印加して前記外部インピーダンスのインピーダンス測定値を取得するように構成され、  前記電子回路は、前記１つ以上の照明装置への電力供給を前記インピーダンス測定値に応じて制御する、ことを特徴とする照明制御装置。
【請求項１２】
前記電子回路は、前記一次入力電力接続部に前記測定パルスを印加するように構成され、また、前記一次入力電力接続部上の過渡信号を検出するように構成された、これらの基づいて、前記電子回路は前記インピーダンス測定値を決定することを特徴とする請求項１１の照明制御装置。
【請求項１３】
前記感知回路は、前記過渡信号の減衰率に基づいて前記インピーダンス測定値を決定するように配置されている、ことを特徴とする請求項１２の照明制御装置。  
【請求項１４】
前記感知回路は、前記過渡信号が第１のレベルから第２のレベルにまで減衰する時間期間を決定し、決定されたインピーダンス測定値はこの決定された時間期間である、ことを特徴とする請求項１３の照明制御装置。
【請求項１５】
前記第１のレベルと第２のレベルは、前記感知回路によって得られていた過去の複数の測定に基づいて動的に設定されたシステム定数またはシステム変数である、ことを特徴とする請求項１４の照明制御装置。
【請求項１６】
前記電子回路は、前記インピーダンス測定値を用いて前記一次入力電力接続部に結合された手動スイッチが開状態か閉状態かを決定する、ことを特徴とする請求項１１乃至１５のいずれか１項に記載の照明制御装置。
【請求項１７】
前記感知回路は、前記インピーダンス測定値を閾値と比較し、この比較結果に基づいて、前記一次入力電力接続部に結合された手動スイッチが開状態か閉状態かを決定する、ことを特徴とする請求項１１乃至１６のいずれか１項に記載の照明制御装置。
【請求項１８】
前記閾値は、過去の複数の測定に基づいて動的に設定されたシステム定数またはシステム変数である、ことを特徴とする請求項１７の照明制御装置。
【請求項１９】
前記電子回路は、前記決定に基づいて、（ｉ）使用時にこの制御装置に結合されるスイッチをユーザが開にすることにより、前記一次電源が前記一次入力電力接続部から外されたことと、（ｉｉ）一次電源故障と、を識別するように構成され、また、  一次電源故障と識別した場合には、前記二次電源からの電力の、前記１つ以上の照明装置への電力供給を制御するように構成されている、ことを特徴とする請求項１６乃至１８のいずれか１項に記載の照明制御装置。
【請求項２０】
前記制御回路は、前記一次入力電力接続部に印加される測定パルス間の持続時間と時間間隔との少なくとも一方を変更するように構成された、請求項１１乃至１９のいずれか１項に記載の照明制御装置。
【請求項２１】
前記一次入力電力接続部に印加される測定パルス間の時間間隔を、前記二次電源の充電状態に応じて、変更するように構成されたことを特徴とする、請求項２０の照明制御装置。
【請求項２２】
前記電子回路は、異なる動作モードを複数有し、また、前記一次入力電力接続部に印加される測定パルス間の時間間隔を、現在の動作モードにある時間に応じて、変更するように構成された、ことを特徴とする請求項２０または２１に記載の照明制御装置。
【請求項２３】
前記電子回路は、前記測定パルス間の時間間隔をランダムまたは擬似ランダムに変化させるように配置された、請求項２０乃至２２のいずれか１に記載の照明制御装置。
【請求項２４】
前記電子回路は、複数の前記測定パルスについて前記外部インピーダンスの測定値を決定する工程と、２つ以上の測定値を結合して平均測定値を決定するように配置された、請求項１１乃至２３のいずれか１に記載の照明制御装置。
【請求項２５】
前記電子回路は、前記一次入力電力接続部に、測定電圧パルス及び／又は測定電流パルスを印加するように配置された、請求項１１乃至２４のいずれか１に記載の照明制御装置。
【請求項２６】
前記電子回路は、前記一次入力電力接続部で受電した電力信号の電圧レベルの測定値を得るように構成されており、且つ、測定された電圧レベルが既定の範囲内にあるときには、前記感知回路の動作を禁止するように構成されている、ことを特徴とする請求項１１乃至２５のいずれか１に記載の照明制御装置。
【請求項２７】
前記電子回路は、前記感知回路が非動作状態となるスリープモードを有し、前記電子回路は、電力信号が前記一次入力電力接続部に印加されるか、または、外部制御信号の受信があると、前記スリープモードから目覚めるように配置されている、ことを特徴とする請求項１１乃至２６のいずれか１つに記載の照明制御装置。
【請求項２８】
前記感知回路は測定パルス間で冬眠する、ことを特徴とする請求項１１乃至２７のいずれか１つに記載の照明制御装置。
【請求項２９】
前記一次入力電力接続部に結合されたコンデンサを有し、前記感知回路は、観測パルスの前記一次入力電力接続部への印加から起こる前記コンデンサ上の電荷をモニタするように配置されている、ことを特徴とする請求項１１乃至２８のいずれか１つに記載の照明制御装置。
【請求項３０】
前記感知回路は、前記測定パルス印加中に前記コンデンサ上に電荷が堆積する様子をモニタし、モニタされた電荷蓄積から、前記一次入力電力接続部に結合された他の照明装置の数を推定するように動作する、ことを特徴とする請求項２９に記載の照明制御装置。
【請求項３１】
前記二次入力電力接続部は、前記一次入力電力接続部に電力がないときに二次電源からの電力を前記電子回路のために受電し、前記電子回路は、前記二次電源の算電荷が閾値未満の場合に前記感知回路の動作を禁止するように動作する、ことを特徴とする請求項１１乃至３０のいずれか１つに記載の照明制御装置。
【請求項３２】
前記二次入力電力接続部は、前記一次入力電力接続部に電力がないときに、前記電子回路のための電力を二次電源から受けるものであり、
前記電子回路は、前記二次電源の残余の電荷が閾値未満のときに、前記二次電源からの電力配電を禁止するように動作する、ことを特徴とする請求項１１乃至３１のいずれか１つに記載の照明制御装置。
【請求項３３】
さらに、前記電子回路を前記一次入力電力接続部から絶縁隔離するように構成された隔離部を具備する、ことを特徴とする請求項１１乃至３１のいずれか１つに記載の照明制御装置。
【請求項３４】
前記一次入力電力接続部からの一次電力を受けて、前記電子回路へ電力供給するための整流された一次電力を供給するように構成された電源ユニットと、  さらに、前記整流一次電力の供給と前記二次電力供給との内の大きい方が前記電子回路の一部を形成するプロセッサに電力を供給するように配置された一回路、
とを具備することを特徴とする請求項１１乃至３３のいずれか１つに記載の照明制御装置。
【請求項３５】
電力供給配線と従来のランプ保持部との間の照明装置内に適合されて従来のハウジング内に設けられた、ことを特徴とする請求項１１乃至３４のいずれか１つに記載の照明制御装置。
【請求項３６】
前記従来のランプ保持部はＡＣランプ保持部であり、前記電子回路は、前記一次入力電力接続部にて受電したＡＣ出力を、前記ランプ保持部に接続するための出力接続部に供給して、前記ＡＣ出力を前記ランプ保持部に供給するように配置されている、ことを特徴とする請求項３５に記載の照明制御装置。
【請求項３７】
前記従来のランプ保持部はＡＣランプ保持部であり、前記電子回路は、前記一次入力電力接続部にて受電したＡＣ出力を、前記ランプ保持部に接続するための出力接続部に供給して、前記ＡＣ出力を前記ランプ保持部に供給するように、配置されている、ことを特徴とする請求項３５に記載の照明制御装置。
【請求項３８】
前記電子回路は、前記感知回路が前記外部インピーダンスを感知しているときに、前記出力接続部を絶縁する隔離部を有している、ことを特徴とする請求項３５乃至３７のいずれか１つに記載の照明制御装置。
【請求項３９】
前記電子回路は、複数のランプ保持部に電力を供給する前記ハウジングの、複数のランプ保持部に電力を供給するための複数の出力接続部に電力を供給するように動作し、前記電子回路は一次電源障害のときには前記二次電源からの電力を前記出力接続部の一部に供給するように配置されている、ことを特徴とする請求項３５乃至３８のいずれか１つに記載の照明制御装置。
【請求項４０】
この電子回路は、制御信号を前記１つ以上の照明装置に送り、前記１つの以上の照明装置への電力配電を制御する、ことを特徴とする請求項１１乃至３９のいずれか１つに記載の照明制御装置。
【請求項４１】
この電子回路は、前記制御信号を、前記一次入力電力接続部に、無線リンクを介してまたは使用中の一次電源ラインを介して、前記１つ以上の照明装置に送る、ことを特徴とする請求項４０に記載の照明制御装置。
【請求項４２】
１つ以上の光源と、
前記１つ以上の光源に対して電力を印加を制御するための、請求項１１乃至４１のいずれか１に記載の照明制御装置、とを具備することを特徴とする照明装置。
【請求項４３】
前記照明制御装置は、前記二次電源の充電容量が閾値未満である場合には、前記二次入力電力接続部からの二次電力を供給して前記１つ以上の光源に電力を供給することを禁止するように配置されていることを特徴とする請求項４２に記載の照明装置。
【請求項４４】
一次照明光を供給する１つ以上の一次光源と；二次照明光を供給する１つ以上の二次光源と；前記一次光源の照明障害を検知するセンサとを具備する、ことを特徴とする請求項４２乃至４３のいずれか１つに記載の照明装置。
【請求項４５】
前記電子回路は、前記センサが前記１つ以上の一次光源の照明障害を検知すると前記１つ以上の二次光源をスイッチオンするように配置された、ことを特徴とする請求項４４に記載の照明装置。
【請求項４６】
前記電子回路は、前記センサが前記一次入力電力接続部にて一次電力の利用性に変化を検出するまで、前記１つ以上の二次光源をスイッチオンするように配置された、ことを特徴とする請求項４４に記載の照明装置。
【請求項４７】
前記センサは負荷センサ、インピーダンスセンサ、光センサのグループの中から選ばれた、ことを特徴とする請求項１１乃至２６のいずれか１つに記載の照明装置。
【請求項４８】
請求項４０乃至４１のいずれか１に記載の照明制御装置であって、制御信号を生成し且つ送信することにより、１つ以上の照明装置への電力の印加を制御する照明制御装置と、
一次電源に接続するための一次入力電力接続部と、
二次電源からの二次電力を受電する二次入力電力接続部と、
前記照明制御装置からの前記制御信号を受け取るように配置され、且つ、前記１つ以上の光源への電力配電を前記一次入力電力接続部からの電力を用いるか、前記二次入力電力接続部からの電力を用いるかを、前記照明制御装置からの制御信号に応じて制御するように配置された電子回路、とを具えるキット。
【請求項４９】
照明装置であって、
１つ以上の光源と、
一次電源から一次電力を受電し、この照明装置の光源に電力供給する一次入力電力接続部
二次電源から二次電力を受電し、この照明装置の光源に電力供給する二次入力電力接続部と、
前記１つ以上の光源への配電を前記一次入力電力接続部か二次入力電力接続部かで受電した電力を用いて制御するように構成された電子回路とを具備し、
前記電子回路は、一次電力が前記一次入力電力接続部で使用可能になる一次動作モードと、前記一次電力が前記一次入力電力接続部で使用可能でない二次動作モードという２つのモードを有し、また、  前記電子回路は、前記一次動作モードと二次動作モードに対して異なる明るさの好みを定義する複数のユーザ構成可能なパラメータを記憶するメモリを備える、ことを特徴とする照明装置。
【請求項５０】
前記電子回路は、この照明装置が発生する光の明るさを、前記光源の１つ以上に供給する電力を変更するか、前記一次若しくは二次電源から受ける電力を受電する光源の数を変更することにより、変更する、ことを特徴とする請求項４９に記載の照明装置。
【請求項５１】
この電子回路は、各々の動作モードにおける所望の明るさを定義する信号を、前記一次入力電力接続部に、無線リンクを介してまたは前記入力電力接続部を通して受け取ることを特徴とする請求項４０または５０に記載の照明制御装置。
【請求項５２】
前記電子回路は、（ｉ）使用時には前記照明装置に結合されるスイッチをユーザが開にすることにより、前記一次電源が前記一次入力電力接続部から外されることと、（ｉｉ）一次電源故障が起こったこと、とを識別するように構成され、且つ、一次電源故障を受けて、前記二次電源から電力を前記照明装置の１つ以上の光源に供給して非常時照明機能を提供する、ように構成されたことを特徴とする請求項４９乃至５１のいずれか１に記載の照明制御装置。
【請求項５３】
前記メモリは、ユーザが構成した、各々の動作モードでの照明の所望の明るさを定義するパラメータを含み、前記所望の明るさを、その動作モードでの続く動作の間に呼び出すことができるようにしたことを特徴とする請求項４９乃至５２のいずれか１に記載の照明制御装置。
【請求項５４】
照明装置であって、  第１と第２の光源と、
一次電源から一次電力を受電して前記第１の光源に電力供給する一次入力電力接続部と、
二次電源から二次電力を受電して前記第２の光源に電力供給する二次入力電力接続部と、
前記第１と第２の光源への配電を、前記一次入力電力接続部か二次入力電力接続部かで受電した電力を用いて制御するように構成された電子回路とを具備し、
前記電子回路は、（ｉ）使用時には前記照明装置に結合されるスイッチをユーザが開にすることにより、前記一次電源が前記一次入力電力接続部から外されることと、（ｉｉ）一次電源故障が起こったこと、とを識別するように構成され、且つ、一次電源故障を受けて、前記二次電源から電力を前記照明装置の１つ以上の光源に供給して非常時照明機能を提供する、ように構成され、
前記電子回路はユーザによる再構成が可能であり、  第１の構成では、一次電源障害が検出されたときに、前記二次電源からの電力供給だけがなされ、その結果、前記第２の光源は一次電源障害がなければ点灯されない、  第２の構成では、前記二次電源からの電力が第２の光源に供給され、その一方で、一次電力は前記第１の光源に供給される、ことを特徴とする照明装置。
【請求項５５】
前記第１の光源はＡＣ一次電源によって電力供給され、前記第２の光源はＤＣ二次電源によって電力供給される、ことを特徴とする請求項５４乃至５５のいずれか１に記載の照明装置。
【請求項５６】
前記電子装置は無線通信リンクまたは前記入力電力接続部の１つまたは複数を通して、前記第１または第２の構成において電子回路をセットするデータ信号を受けるように配置され他ことを特徴とする請求項５４乃至５５のいずれか１に記載の照明装置。
【請求項５７】
１つ以上の光源と、
１つの光源に電力供給するために、スイッチを介した一次電源からの一次電力を受電するための一次入力電力接続部と、
１つの光源に電力供給するために、二次電力を二次電源から受ける二次入力電力接続部と
前記一次と二次の入力電力接続部に結合され、これらの入力電力接続部で受けた電力を用いて前記１つ以上の光源への電力供給を制御するように配置された電子回路と、
前記電子回路は、    前記一次入力電力接続部に結合された外部インピーダンスを感知して前記一次電源のスイッチが開かれているか閉じられているかを決定する感知回路と、    少なくとも、前記感知回路が前記外部インピーダンスを感知しているときに、前記感知回路を、この照明装置の他の構成要素から絶縁する隔離部と、を具備することを特徴とする照明装置。
【請求項５８】
前記感知回路は感知信号を前記一次入力電力接続部に印加するように動作し、また、前記隔離部は、前記感知信号がこの照明装置の他の構成要素に到達するのを防止するように構成されている、ことを特徴とする請求項５７乃至６２のいずれか１つに記載の照明装置。
【請求項５９】
前記隔離部は、ツェナーダイオードのような、前記感知回路をこの照明装置の他の構成要素を絶縁する半導体接合デバイスを含む、ことを特徴とする請求項５７乃至５８のいずれか１つに記載の照明装置。
【請求項６０】
前記半導体接合デバイスは、前記一次入力電力接続部に結合されていると共に、また、前記半導体接合デバイスは、前記感知回路が前記一次入力電力接続部に結合の外部インピーダンスを感知しているときには、前記半導体接合デバイスが逆バイアスされるように、前記感知回路に接続される、ことを特徴とする請求項５９に記載の照明装置。
【請求項６１】
前記感知回路は、測定パルスを前記一次入力電力接続部に印加するように配置されていると共に、前記測定パルスの振幅は前記半導体接合デバイスの降伏電圧よりも小さい、ことを特徴とする請求項５９乃至６０のいずれか１つに記載の照明装置。
【請求項６２】
前記隔離部は変圧器を含むことを特徴とする請求項５７乃至５８のいずれか１つに記載の照明装置。
【請求項６３】
前記隔離部は、前記光源の１つ以上を前記感知素子から絶縁するリレイデバイスである、ことを特徴とする請求項５７乃至５８のいずれか１つに記載の照明装置。
【請求項６４】
実質的に添付図面に説明され或いは図示されたことを特徴とする照明装置。
【発明の詳細な説明】
【技術分野】
【０００１】
本発明は照明装置に関し、より詳しくは、一次電源（例えば”幹線”電源）が遮断されている場合に二次電源（例えばバッテリー）からの電気エネルギーを用いて光を放出することを可能にする付加的なコンポーネント若しくは回路を有する照明装置に関する。
【背景技術】
【０００２】
従来の照明装置に電源故障が発生した場合には、いかなる形であれ、瞬時のまたは持続的な照明の喪失は、安全上の、財産上の、便利差の観点からの、安全保障上の懸念を、公共と、商業上の、産業上の、居住用のビルや地域の居住者に対して与える。既存の待機用または非常用照明システムは典型的には、主に、産業用や商業用の環境に設計された特注装置、即ち、もっぱら電源故障（停電）時に機能する特注装置、を使う形態をとる。このような既存製品は典型的には専用の、設置、付加的な配線、定期的なメンテナンスやテストを、買い取り時経費や所有経費に追加して必要とする。照明は、幹線電源故障時には、二次電源が消耗するまで、或いは、一次電源が復帰したときのみ、点灯することができるが、その間は、ユーザは照明光を簡単には制御できないし、光が不要であるときは、限りある電力貯蔵能力を節約するしかない。さらに、これらの照明装置は通常機能的に「維持無し(non-maintained)」と呼ばれており、一次の幹線電源が利用できるときの単にメインストリーム照明よりも寧ろ緊急時の照明用にのみに使うことを意図されている、というものである。それ故に、これらの関連する緊急用照明装置は幹線電源が利用可能なときは常に運用上は不要であり、一次照明が代わりに使われる。
【０００３】
既存の照明装置の中には、一次電源若しくは二次電源からの無停止の一次光源を出力するものがある。これらの装置は「維持型(maintained)」と呼ばれる。対照的に、「維持型」と呼ばれる照明装置は、一般的には、一次電源または二次電源のいずれかからの持続する無停止照明を提供する。「維持型」装置は典型的には電源供給ＯＮのスイッチというものを持たない、それ故に、恒常的な一次電源からの供給を必要とする。従って、光源は、通常、当該恒久的な一次電源がダウンしているときは、バッテリーを用いて継続する。
【０００４】
上記問題は、標準の緊急照明を組み合わせて、既存の非緊急照明付属機器若しくは配線設備を「レトロに」フィットさせた１台のユニットとし、このユニットが幹線電源から電源供給された通常の照明装置を置き換え或いは強化したものとすることにより、解決することはできる。
【０００５】
本願発明は、英国特許ＧＢ２４４７４９５にて、幹線障害を検知でき、当該照明装置に、この照明装置の近傍に設けられたバックアップバッテリーから電力供給できる回路を有した電気照明装置を提案した。この初期の照明装置の１つの機能は、幹線電源の故障と点灯スイッチによるユーザ開始の電源の除去との間の差異を識別できるというものである。この識別は、上記先願の英国特許出願に開示されているように、電源供給端子間のインピーダンスを評価することによって達成される。幹線電源に故障があり、照明がスイッチオンされているときには、インピーダンスは低いものとなり、反対に、ユーザが点灯スイッチで照明をスイッチオフした場合には、インピーダンスは高くなる。
【０００６】
本出願には、上記説明の英国出願に説明された照明装置に対する複数の改良が開示されている。
【発明の概要】
【０００７】
本願発明の一実施形態による照明装置の制御方法は、１つ以上の光源と、一次電源から一次電力を受電するための一次入力電源接続部と、一態様によれば、本発明は、 1つ以上の光源、第一の電源から一次電源を受けるための第一の入力電源接続は、受信用の光源に電力を供給するために、二次入力電源コネクタを備えた照明装置を制御する方法を提供する二次側電源からの二次電源は、光源に電力を供給するための方法であって、例えば、その電源障害、電力の場合にからの入力電力接続で受信された電力を用いて1つ以上の光源への電力供給を制御する二次電源は、光源に電力を供給するために使用され、外部インピーダンスのインピーダンス測定値を得るために、一次入力電源接続に測定パルスを印加することにより、一次入力電源接続部に接続された外部インピーダンス感知すると、前記制御ステップは、前記電力を制御するインピーダンス測定に依存して配信。
【０００８】
センシングは、一次入力電源接続に測定パルスを印加し、第一の入力電源接続で過渡信号を検出し、そこから第一の入力電源接続部に接続された外部インピーダンスを示す尺度を決定することができる。測定値は、その後、一次入力電源接続部に結合された手動で操作可能なスイッチの開閉状態にあるかどうかを決定するために使用することができる。 、およびii ）第1電源障害、および、時i）を照明装置に使用され、スイッチ結合を開いユーザによる一次入力電源接続から次電源の除去を、この決定に基づいて、この方法は、区別することができ一次電源障害の検出は、二次側電源からの緊急照明機能を提供するために光源に電力を供給することができる。
【０００９】
持続時間および/または外部入力電源の接続に適用される測定パルス間の時間を変えることができる。これは、照明装置は、照明装置の動作の現在のモードになっている時間??に依存しにおける異なる動作モードを複数有する二次電源や、充電状態の時又は応じて行うことができるランダムまたは擬似ランダムな方法。
【００１０】
この方法は、測定パルスの複数の社外のインピーダンスの測定を決定してもよいし、平均測定値を決定するためにこれらの測定値を2つ以上組み合わせてもよい。この方法は、第一の入力電源接続部に測定電圧パルス及び/又は測定電流パルスを印加することを含むことができる。
【００１１】
いずれかの電力供給を制御したりするように配置され、電子回路網と、二次電源からの二次電源を受けるための二次入力電源の接続、一次電源に接続するための第一の入力電源接続：本発明はまた、照明制御装置を提供する多くの照明デバイス、電子回路は回路主入力電源の接続に、使用時に、結合された外部インピーダンスを感知するように構成センシングすることを含む、前記センシング回路は、インピーダンス測定値を得るために、第一の入力電源接続に測定パルスを印加するように構成されている前記外部インピーダンスと前記の電子回路は、インピーダンス測定値に依存して一つ以上の照明デバイスへの電力供給を制御するように構成される。
【００１２】
電子回路は、一次入力電源接続に測定パルスを印加するように配置され、それが決定すると、主入力電源の接続上で過渡信号を検出するように配置されたインピーダンス測定値は述べた。感知回路は、過渡信号の減衰率に基づいて、インピーダンス測定を決定することができます。感知回路は、第1レベルから第2レベルへ減衰およびインピーダンス測定値としてこれを使用する過渡信号の期間を決定することができる。第一レベルと第2レベルの一方または両方がシステム定数または動的感知回路により得られた以前の測定値の数に基づいて設定されたシステム変数であってもよい。
【００１３】
第一の入力電源接続部に結合された手動で操作可能なスイッチが開いているか閉じた状態にある場合、電子回路は、インピーダンス測定値を決定するために使用することができます。
【００１４】
手動で操作可能なスイッチの開閉状態にある第一の入力電源接続部に結合された場合、一実施形態において、センシング回路は、しきい値とインピーダンス測定値を比較し、比較判断した結果に基づく。しきい値は、一定のシステムまたは動的に前のインピーダンス測定値の数に基づいて設定されたシステム変数であってもよい。およびii ）第1電源障害が発生し、は、i ）制御装置に使用され、結合されたスイッチを開いて、ユーザによる外部入力電源の接続から次電源を除去し、そして、 ：決定に基づいて、電子回路は区別することができ一次電源障害を検出すると、回路は非常用照明機能を提供するために二次側電源からの電力を使用して、1つまたは複数の照明装置への電力供給を制御することができる。
【００１５】
電子回路は、持続時間および/または外部入力電源の接続に適用される測定パルス間の時間間隔を変化させることができる。この変化は、二次電源の充電状態に依存してもよく、またはランダムまたは擬似ランダムに、電子回路の動作の現在のモードになっている時間??に依存する。
【００１６】
電子回路は、測定複数のパルスの各々に対する外部インピーダンスの測定を決定してもよいし、平均測定値を決定するためにこれらの測定値を2つ以上組み合わせてもよい。
【００１７】
センシング回路は、外部入力電源接続部に測定電圧パルス及び/又は測定電流パルスを印加することができる。
【００１８】
一実施形態では、電子回路は、一次入力電源接続で受信される電力信号の電圧レベルおよび/または周波数の測定値を取得し、測定された電圧レベルや周波数が所定の範囲内にある場合、感知回路の動作を禁止する。
【００１９】
電子回路は、感知回路が動作不能と前記電子回路は、一次入力電力接続への電力信号の印加時又は外部制御を受信すると、スリープモードからウェイクアップするように配置されている場合の動作のスリープモードを有していてもよい信号。
【００２０】
センシング回路は、測定パルス間休止よい。
【００２１】
一実施形態では、コンデンサは、一次電源入力接続部に結合され、感知回路は、一次電源入力接続、測定パルスの印加によって生じるコンデンサの電荷を監視している。感知回路は、例えば、電荷は一次入力電源接続部に結合された他の電子機器の数が測定パルスの印加中に、監視電荷蓄積推定値のコンデンサに蓄積する方法を監視することができる。
【００２２】
二次電源入力接続電源が一次電源入力接続を前記で利用できないときに二次電源から電子回路に電源を受けるためのものであり、電子回路は、感知回路の動作を阻害することができる場合に二次電源の残量以下の閾値である。
【００２３】
一実施形態において、アイソレータは、一次入力電源接続から電子回路を分離することができるが設けられている。
【００２４】
電源ユニットは、一次入力電源接続から一次電源を受け取ることと、整流された一次電源供給が大きいと二次電源であるように配置された電子回路とをさらに備える回路に電力を供給するために整流された一次電源を提供する提供されている電子回路を前記の一部を形成するプロセッサに電力を供給するために使用される。
【００２５】
上述した照明装置は、電源配線と従来のランプホルダとの間の従来の点灯回路で接続するように適合ハウジング内に設けてもよい。
【００２６】
従来のランプ保持具は、 ACランプ保持具であってもよいし、電子回路は、 AC出力電圧を供給するために、従来のランプ保持具に接続するために使用される出力接続に主入力電源の接続で受信されたAC入力電源から得られたAC出力電圧を提供することができる従来のランプ保持具に。
【００２７】
従来のランプ保持具はまた、 DCランプ保持具であってもよいし、電子回路は、前記供給するため従来のランプ保持具にDC電源前記への接続に使用される出力接続にDC電源を出力する第一の入力電源接続部で受信されたAC電源に変換することができる従来のランプ保持具は述べています。
【００２８】
電子回路は、感知回路は、外部インピーダンスを測定したときの出力接続を分離するためのアイソレータを含むことができる。
【００２９】
電子回路は、ランプ保持具の複数に電力を供給し、電子回路のサブセットに二次電源から一次電源障害、電力が発生した場合に、提供することができるように前記ハウジングの出力複数の接続に電力を供給することができる出力接続。
【００３０】
制御装置は、1つまたは複数の照明デバイスへの電力の供給を制御するために1つ以上の照明デバイスに制御信号を送信することができる。制御装置は、一次入力電源接続に、使用時に、無線リンクを介して、または接続された1次供給ラインを介して1つまたは複数の照明デバイスに制御信号を送信することができる。
【００３１】
前記制御装置は、上記一つ以上の光源：本発明はまた、照明装置を提供する備える。照明装置は、二次照明を提供し、さらに第一光源のうちの1つまたは複数の照明故障を検知するためのセンサを備えることができるための一次照明および1つまたは複数の2次光源を提供することに使用する1つまたは複数の一次光源を含むことができる。電子回路は、センサは、一次光源のうちの1つまたは複数の照明障害を検出した場合には二次光源の一つ以上で切り替えることができる。それは、一次入力電源接続部における一次電源の可用性の変化を検出するまで、電子回路、1つまたは複数の2次光源をオンにすることができる。荷重センサ、インピーダンスセンサおよび光センサ：センサを含む群から選択することができる。
【００３２】
本発明はまた、キットを提供する：上記の一つ以上の照明デバイスへの電力の印加を制御するための制御信号を生成して送信する制御装置と、前記一つ以上の照明デバイスは、それぞれの前記接続のための第一の入力電源接続二次側電源からの二次電源を受けるための二次入力電力接続。 、一次電源および電子回路制御装置から制御信号を受信するように配置され、一つ以上の光源（への電力の送達を制御するように構成されs）は、第一の入力電源接続からの電力を使用したり、制御装置から受信した制御信号に依存して二次入力電源の接続からの電力を用いて。
【００３３】
、照明装置の光源に電力を供給するため、一次電源から一次電源を受けるための第一の入力電源接続。から二次電源を受けるための二次入力電源の接続、1つ以上の光源別の態様は、照明装置を提供する照明装置の光源に電力を供給するための二次側電源と、前記電子回路は、電力が入力電力接続の1つまたは複数で受信さ使用して1つ以上の光源への電力供給を制御するように構成され、前記電子回路は、プライマリを有する一次電源は、一次入力電力接続と一次電力が主入力電源の接続で利用されない場合の動作の二次モードで利用可能である、動作モード、および電子回路を含み、異なる明るさを規定するユーザ設定可能な複数のパラメータを有する一次動作モードと二動作モードの環境。
【００３４】
電子回路は、光源、および/一つ以上に供給される電力を変化させることによって、または第一級および/または第二の電源から電力を受け取る光源の数を変えることによって照明装置によって生成される光の明るさを変化させることができる。
【００３５】
電子回路は、無線通信リンクを介して、各動作モードにおける所望の明るさを定義する入力電源の接続の一つ以上を介して信号を受信することができる。
【００３６】
次電源の検出時に、そして、及びii ）第1電源障害は、i ）上記照明装置に使用され、スイッチ結合を開いユーザによる外部入力接続部から一次電源の除去：電子回路はまた、区別することができる障害は、非常用照明機能を提供するために二次電源からの照明デバイスの1つ以上の光源に電力を供給することができる。
【００３７】
電子回路は、所望の明るさを、そのモードでの後続の動作中に呼び出すことができるように、各動作モードにおける光の所望の明るさを規定するユーザ設定されたパラメータを格納するために、好ましくは、不揮発性メモリ、メモリを備えることができる。
【００３８】
第一および第二の光源と、第一の光源に電力を供給するために、一次電源から一次電源を受けるための第一の入力電源接続、二次電源からの二次電源を受けるための二次入力電源の接続別の態様もまた有する照明装置を提供する電源は、第二の光源給電するための前記電子回路を、入力電源の接続で受信された電力を用いて第1及び第2の光源への電力供給を制御するように構成され、電子回路を区別するように構成されている請求。 ）一次電源の除去をスイッチ結合を開いユーザによる外部入力電源の接続から、使用時に、照明装置への、及びii ）第1電源障害、および、第1電源障害を検出すると、二次電源からの電源を供給するように構成されている非常用照明機能を提供するための第2の光源と、前記電子回路は、前記ので、二次側電源からの第一の構成電力のみで一次電源障害を検出したときに提供されることとなるようにユーザーが設定二次電源からの第二の構成電力の一次電源が最初に光源に供給される電源が第二の光源に供給される。
【００３９】
第一の光源がAC??一次電源によって給電され、第二光源を二次DC電源によって電力供給され得る請求することができる。
【００４０】
電子回路は、無線通信リンクを介して、または第一または第二の構成で電子回路を設定する入力電源の接続の一つ以上を介してデータ信号を受信することができる。
【００４１】
、一次電源からの一次電源を受けるための第一の入力電源接続は、光源に電力を供給するため、二次電源から二次電源を受けるための二次入力電源の接続、一つ以上の光源：別の態様は、照明装置を含むを提供する入力電源接続部に結合され、電子回路及び入力電源の接続で受信された電力を用いて1つ以上の光源への電力供給を制御するように構成され; 、外部インピーダンスを感知するための電子回路は回路構成されたセンシングすることを含む、前記光源に電力を供給する感知回路が感知されて言ったとき、少なくとも照明装置の他の構成要素からセンシング回路を分離するための主要な入力電源の接続とアイソレータに接続された外部インピーダンスは言った。
【００４２】
アイソレータは、電子回路の他の構成要素から感知回路を分離するツェナーダイオードなどの半導体接合装置を備えることができる。半導体接合装置は、一次入力電力接続部に結合され、感知回路は、一次入力電源接続部に接続された外部インピーダンスを感知したときの半導体接合素子が逆バイアスされるように感知回路に接続することができる。
【００４３】
センシング回路は、外部入力電源の接続と測定電圧の振幅半導体接合デバイスの降伏電圧よりも低い場合に測定電圧を印加することができる。
【００４４】
あるいは、アイソレータは、センシング回路からの1つ以上が、前記光源を分離する中継装置を含むことができる。
【００４５】
本発明のこれら及び他の態様は、添付の図面における参照して以下に説明される例示的な実施形態の以下の説明から明らかになるであろう。
【図面の簡単な説明】
【００４６】
【図１】一実施形態にかかる照明装置を示す図面であって、この照明装置は、従来のランプ保持部と配線設備とを接続して、幹線電源故障時にはバックアップ照明機能を提供することができる。
【図２】図１の照明装置の接続部を典型的な配線接続にしたときを図示する図。
【図３】図１の照明装置の一部を形成する電子回路の主要構成要素を示すブロック図。
【図４】検出回路と、図３の電子回路の一部を形成するスイッチ・モード電力制御ユニットとの電気接続を示す回路図。
【図５−１】図５−１の部分図５ａは、図４の検出回路により生成される電圧パルス・シーケンスをプロットする図である。  同じく、部分図５ｂは、図４検出回路により検出された検出信号を表す図で、図４回路の一次電源入力端子が高インピーダンスに接続されているときに得られる信号を表す。  部分図５ｃは、図４検出回路により検出された検出信号を表す図で、図４回路の一次電源入力端子が低インピーダンスに接続されているときに得られる信号を表す。
【図５−２】図５−２の部分図５ｄは、図４の検出回路の一部を形成するウィンドウ・コンパレータの構成要件を図示する図。
【図６】２つの照明装置が、マスター・スレイブ構成で動作する様子を説明する図。
【図７】図３の回路の一部であるプロセッサが電力供給されるのは、一次電源からの電力信号によるのか、二次電源からの電力信号によるのかを示す図。
【図８】２つの逆並列接続ＭＯＳＦＥＴスイッチが用いられて一次電源と二次電源との間での負荷制御を表す図。
【図９】図９の、図９ａ乃至図９ｃは、図３の回路の検出回路と電源ユニットとを幹線からの入力回路に結合する他の実施形態にかかる回路配置を説明する図。
【図１０】本願発明を実施する他の構成にかかる照明装置を表す図。
【図１１ａ】幹線電源障害時に非常照明を従来の光源に供給する本願発明の実施形態にかかるインライン・アダプタを図示する図。
【図１１ｂ】半永久的に内蔵されたインライン・アダプタを図示するもので、このアダプタは装着された吊り下げライトに対する電力供給を制御する。
【図１２】図１２は、図３に示したものと類似の電子回路が電源ユニットに内蔵された実施例を図示するもので、この電子回路は従来の低電圧照明に電力供給するのに使われる。
【図１３】図１３は、図３に示したものと類似の電子回路がリモコン装置内に設けられた実施例を図示するもので、電子回路は従来の１つ以上の照明装置に電力供給するのに使われる。
【発明を実施するための形態】
【００４７】
図１は本願発明を実施する照明装置１の実施例を図示する。この例では、書婦名装置１は伝統的な外観の電球であり、取付金具５に機械的に結合された光学的に透明若しくは半透明のハウジング３を有する。取付金具５は、照明装置１を従来のランプ保持部（この例では、従来のねじ込み式のランプ保持部として図示されている）に接続されて、回り回って、照明装置１を一次電源に接続することとなる。
【００４８】
１つ以上の光源７が透明ハウジング１内に設けられ、光源７は複数の発光ダイオード９を含む。この実施例では、複数の発光ダイオード９が、１つ以上のアレイとして並ぶことにより、照明装置１が広い角度の照明範囲を発揮する。好適な有効性と効率性と持続時間とを達成するために、ＬＥＤアレイ１１は機械的且つ熱的にヒートシンク１３に結合されている。ヒートシンク１３の構造は出願人の先願である英国特許出願（ＧＢ１０１４４２８．５）に説明され、その内容は本明細書に引用により組み込まれる。図１に示されているように、ヒートシンク１３は空洞部１５を有し、この空洞の中には、バッテリー１７が装着されている。下記により詳しく説明することとなるが、バッテリー１７は光源１７に幹線電源の障害時の電力供給のためにある。
【００４９】
電子回路１９は照明装置１のベース２１に設けられ、この回路１９は、一次電源の障害があるときを検出する回路と、前記バッテリー１７を光源７に結合して、そのような一次電源の障害時における光源の供給を行うものである。多くの例では、点灯回路（照明装置１が装着されることになる）１つの以上の手動のスイッチを含み、このスイッチがユーザに照明装置１のオンとオフを可能にする。これ故に、電子回路１９はかかるスイッチが開のときと閉のときとを検出することができる。この検出がなされる態様は後に別途詳しく説明される。
【００５０】
点灯回路
図２は、図１に示した照明装置１が設置可能な典型的な電気設備１２を示す模式図である。図２に示すように、地域または国のグリッドによって供給されるＡＣ電源は、通常数千ボルトオーダーの非常に高圧の送電電位Ｄから、典型的には、変圧器１４によって、低圧側の”幹線”供給電圧に降圧される。変圧器１４の二次巻線は、外部接続端子１６（ここでは、建物１８への外部接続部を表す）を経由して１つ以上のローカル消費者に電力を提供する。この入力の供給電力（電位Ｅとして示される）は、通常、典型的には、配電盤、消費者ユニット等内に取り付けられている１つ以上の適切な電流制限保護装置２２（ヒューズ、回路遮断器など）を通過する。図２に示すように、２つのランプ保持具２４−１及び２４−２は、ユーザ操作可能なスイッチ２６−１及び２６−２を介して、点灯回路２８内の電流制限保護装置２２に接続されている。この図では、スイッチ２６は２箇所操作スイッチの構成で示されているが、電流制限保護装置２２にホルダ２４を接続するために、単一スイッチ２６または複数のスイッチがあってもよい。したがって、ランプ保持具２４内に装着の照明デバイス１は、光源７を点灯する一次電源としての幹線電圧を有することになる。
【００５１】
図２に示すように、供給端子間の建物１８内インピーダンスは、インピーダンス（Ｚ）３０によって表される。このインピーダンス３０は負荷によって生成されるもので、負荷としては、電流制限保護装置２２を介して端子１６で入力電圧に接続された電気器具や他の装置などがある。ユーザ操作可能なスイッチ２６が開または閉状態にあるときの点灯回路２８のインピーダンスに検出可能な変化を創出するのはこのインピーダンス３０（付随的に、電流保護装置２２と変圧器１４のインピーダンスも含まれる）である。
【００５２】
かくして、ランプホルダ２４の一つに取り付けられた照明装置１から幹線電力が除去されたとき、照明装置１は、スイッチ２６が開回路または閉回路であるかどうかを、一次電圧端子３２間のインピーダンスを測定することによって、検出し、従って、決定することができ、幹線電源が、電源障害またはユーザによるスイッチ２６の切り替えにより、除去されたと決定することができる。このインピーダンスの測定し、手操作可能スイッチ２６の位置決定のために、様々な異なるアプローチが可能である。以下でより詳細に説明するように、採用されたアプローチは、一つの照明装置１によって得られた測定値は、同じ点灯回路２８に装着され同じスイッチ２６によって制御される別の照明装置の動作に、または、電位Ｅと同じ電源回路上他の照明装置の動作に対しては、妨害または有害な影響を及ぼさないことを保証するものである。さらに、図１のものと類似の照明装置１が複数個で同じ点灯回路２８に接続されている場合に、ある照明装置１による測定が、他の照明装置１の測定に干渉しないような拝領がなされている。この手法が達成される好ましい実施形態が、後でより詳細に説明される。
【００５３】
動作モード
本実施形態では、照明装置１は、複数の異なる動作モードを有し、現在の動作モードは、典型的には、照明装置１への電力供給の外部条件に基づいて決定される。上記の議論から、電源自体は、３つの状態：電力供給が存在する；電源は開回路状態（高インピーダンス）で電力供給は存在しない；電源は閉回路状態（低インピーダンス）で電力供給は存在しない、に分類される
一次動作モード
この一次動作モードとは、１つまたは複数の光源７を照明するための電気エネルギーを供給して有用な光を発生する取付金具５に一次電源が接続されているときに「起こっている」と定義される。この一次動作モードでは、バッテリー５もまた、必要に応じて、一次電源からのエネルギーを使用して、典型的には、ステップダウン変圧器、切換モード電源、または、他の電圧降圧または定圧サブシステムを介して、充電・再充電が可能なインテリジェントバッテリーであってもよい。バッテリー１７の充電は、充電速度および過充電または急速充電を防止するために充電速度とセル電圧を監視する電子回路１９によって制御される。
【００５４】
一次動作モードの間、電力は一次電源によって提供されているので、まだ電源障害は存在しない。したがって、任意のユーザ操作可能なスイッチが開かれているか閉じられているかを判断するために電源ラインのインピーダンスを感知する電子回路１９は必要ではない。従って、この感知は、この一次動作モード中に抑制することができる。しかし、このような感知は、必要であれば任意的に継続することもでき、一次電源が存在しているときはインピーダンスの測定もできそうもないので、いかなる結果も無視することができる。
【００５５】
二次動作モード
この二次動作モードの間、照明装置１は、二次電源（バッテリー１７からの場合）からの電力を用いて有用な光を生成するように構成される。照明装置１は、照明装置１が接続金具５を介して一次電源に接続されているが、一次電力が存在せず、処理電子回路１９が、電源ライン間が低インピーダンス（典型的には５ｋΩ未満）であると判定する期間で、このモードに設定される。電源インピーダンスの測定は、連続的に、若しくは周期的に、若しくはランダムに、または疑似ランダムに行うことができる。例えば、ランダムまたは擬似ランダム測定では、同じような点灯回路内に接続された他の類似の照明装置１との干渉を回避するのに役立つもので、この他の類似の照明装置とは、例えば、共通の点灯スイッチによって制御されている複数のライト、例えばシャンデリアがある。この複数の照明装置１が一緒に動作する方法の詳細については後述する。
【００５６】
この好適な実施形態では、処理電子回路１９は、照明装置１が、取付金具５を介して低インピーダンス負荷５に電気的に接続されている場合には、照明装置１はこの二次動作モードを開始し、照明装置１をして、バッテリー１７からの電力を使用して比回路を発生するように構成されている。このことは、照明装置１を、デモンストレーション、診断または他の目的のために、試験することを可能にする。例えば、好適な低インピーダンスの電気的接続（例えば、ユーザの手など）により接続金具５の供給端子を短絡させる、など。処理電子回路１９は、また、診断テスト中または外部機器から、例えば、受信した入力コマンドに応答して、この照明装置１を本二次動作モードに設定することができる。
【００５７】
休止動作モード
休止動作モードでは、電子回路１９が部分的には活性であるが、照明装置１は、有用な照明を発生しないように構成されている。照明装置１が接続ハイインピーダンス負荷がある場合、照明装置１は、当該照明装置１が点灯回路２８に接続され、且つ、電源ラインに高インピーダンス（典型的には１０ＫΩを超過）負荷が接続されているときに、接続金具５を介しての一次電力入力がない間には、休止動作モードに入るように構成されている。この場合も、インピーダンスの測定は、ランダム又は疑似ランダムに、周期的に、連続的に行うことができる。照明装置１は、入力端子間で幹線電力が復帰した場合（この場合には、上述の一次動作モードに戻ることになる）には、或いは、感知回路が幹線電力ラインに接続された低インピーダンス負荷を感知したものの、依然として幹線電力が存在していない場合（この場合には、上述の二次動作モードに戻ることになる）には、休止モードを出る。
【００５８】
本実施形態では、後で詳しく説明するように、電子回路１９は、様々な省エネ技術、並びに、休止動作モード中における、バッテリー１７から電子回路１９によって引き出される電力を最小化する回路部品を採用している。
【００５９】
スリープ動作モード
スリープ動作モードでは、照明装置１は、使われている照明が無いように、また、電子回路１９が全くインピーダンス測定をしないように構成されている。スリープ動作モードに入るのは、照明装置１が、所定の期間（例えば、６ヶ月間）休止動作モードにあった後、または、バッテリー充電電圧の低下が低しきい値レベルを下回ったとき、または、外部装置若しくはユーザが、当該照明装置１を既定の状態（例えば、照明装置１への一次電力を３秒間の間６倍にする）に置くようにとの「信号（シグナル）」を受けたとき、などである。幹線電力のこの「信号」の検出は、例えば、一次電力端子で受信された信号が予想周波数範囲内の周波数（例えば、４０Ｈｚと７０Ｈｚの間）を有することを検出したことにより、なされる。照明装置１は、好ましくは、製造時に、デフォルト状態として、スリープ動作モードに設定され、製品がユーザによってインストールされるまでは、バッテリー１７でのゼロまたは最低の電力損失しか出ないようにしている。本照明装置１は、スリープ動作モードから、例えば、一次電力を当該照明装置１に供給することにより、「目覚めさせ」られる。
【００６０】
一次電力が無くなって、装置が一次モードから二次モードに遷移した場合には、照明装置１は、直ちに、二次動作モードに切り替わるも、外部状態を測定する。これにより、電力障害の間での、照明のちらつきや停止が無くなることが確実化される。測定の結果が、スイッチ２６が開回路にあることを示している場合は、照明装置１は、照明７を消灯し、休止動作モードに入ります。同様に、二次動作モードにあるときに、照明装置が、幹線信号を一次電力端子に検出したならば、照明装置は一次動作モードには直ちには入らずに、代わりに、待機しつつ、一次動作モードに戻る前に、幹線電力が安定したことを確認する。
【００６１】
診断およびモード表示器
本実施形態では、照明装置１は、発光ダイオードの形態の診断表示器２３を有し、この表示器は、電子回路１９に別個に接続されている。電子回路１９は診断表示器２３を制御して、連続的または断続的に、現在の動作モードを表示し、そして／または、その間のいかなる障害検出を表示させる。これは、例えば、診断表示器２３の点灯を変えることによって、或いは、複数の異なるＬＥＤが異なる色を発光するように設けられている場合、これらは点灯されて、夫々、個別の診断状態を示すことができる。
【００６２】
リモートコントロール、
図１に示すように、好ましい照明装置１は、本照明装置１から離れた所にある別の装置（不図示）から信号を受信し、または、その装置へ、信号を送信することができる、通信変換器２５を備えている。これらの外部の信号は、例えば、リモートオペレータによる診断試験または再構成が望まれる場合の、照明装置１の動作を制御するのに用いてよい。通信変換器２５は、対応する無線信号を用いて遠隔装置と通信することができる、例えば、光学変換器（例えば赤外変換器など）または音響変換素子又は電磁変換素子（例えばＲＦトランシーバなど）とすることができる。遠隔装置は、単なるバッテリー駆動若しくは他の電源駆動による可搬型コントローラとすることができる、このようなコントローラは、多数の機能ボタン等を有し、ユーザが、照明装置１に対する制御コマンドを入力するのを可能にしている。
【００６３】
このリモートコントロール機能は、例えば、照明装置１が発生させる光の明るさを変化させるために使用することができる。これは、例えば、光源（複数可）７に印加する電力（電流および／または電圧）を変化させることによって達成することができる。或いは、光源７が異なる複数グループに分けられ、各グループ内の光源７が電子回路１９によって独立に電力供給される場合に、明るさの変更は、同時に電力供給される光源７の数を変更する事によってなされる。
【００６４】
通信変換器２５を利用して、リモートデバイスとの間で、ステータスおよび／または診断情報を通信することができる。例えば、電子回路１９は、バッテリー１７の充電状態を監視するように配置されてもよく、これにより、残りの充電状態よを、通信変換器２５を介して遠隔装置に送信することができる。
【００６５】
通信変換器２５は、また、外部機器を介して入力されたユーザプログラミング情報を受信して電子回路１９のメモリ内に記憶するようにも用いることができる。このユーザプログラミングは、一次動作モード及び／又は二次動作モードにおけるエミッタの明るさを、あるいは、自己診断テストが実行される場合の、或いは、そのテスト結果を診断表示器２３を介して表示する場合の、頻度または仕様を定義することもできる。このリモートコントロール信号を用いて、電源障害でない場合、或いは、またはユーザ操作可能なスイッチ２６が開回路である場合でも、照明装置１の電源をオンにすることができる。この機能を用いて、中央制御局が複数の照明装置１に指示を行うビル・ライティング・シナリオに用いることができ、その場合には、夜間照明の色々な目的におうじて、それらの照明装置を定義されたレベルで点灯するもである。
【００６６】
電子回路
図３は、本実施形態で使用される電子回路１９の主要構成要素を示すブロック図である。図示のように、回路１９は、取付金具５内に設けられ、幹線電源との接続のための第一の給電端子３３と、バッテリー１７のプラス端子とマイナス端子と接続するための第２の給電端子３４とに接続された電源ユニット３１を有する。電源ユニット３１は、降圧トランス、スイッチモード電源、または、他の降圧整流サブシステムなどを用いて一次電源電圧を変換し、この一次電源由来の電力を、照明装置１の動作を制御するプロセッサ３５に供給（または、それが給電端子３３に一次電圧が無いことを検知したならば、バッテリー１７からの端子３４を介して供給する）するように構成されている。電源ユニット３１は、光源７を照明するために必要な電力を供給する。
【００６７】
電子回路１９はまた、第１電源端子３３間のインピーダンスを感知する感知回路３７と、端子３４を介してバッテリー１７を充電する充電回路３９と、上述した各種の診断テストを実行することと端子４３を介して診断表示器２３を制御することを行う診断モジュール４１と、端子４７を介して接続された通信変換器２５を介して遠隔装置と通信する通信モジュール４５と、を有する。
【００６８】
本実施形態では、図６に示すように、電子回路１９は、２つの出力ドライバ５０−１及び５０−２を有し、これらのドライバは、プロセッサ３５によって制御され、出力端子４９と５１を介して光源７を駆動するのに必要な駆動電流を供給する。この実施形態では、光源７は、２つのグループに配置され、各グループ内の光源７は出力ドライバ５０のそれぞれによって駆動されている。かくして、本実施形態では、プロセッサ３５は、各出力ドライバ回路５０を制御することにより基のいずれか一方で同時に、または光源７に両群において、光源に７を切り替えることができる。プロセッサ３５はまた、各出力ドライバ回路５０のための所望の駆動力を設定することにより、各グループ内の光源７の明るさを変化させることができる。
【００６９】
図３に示すブロック図に、異なるモジュールが、プロセッサ３５から独立したモジュールとして示されている。実際には、図３に示すモジュールの多くの機能は、プロセッサ３５またはソフトウェアとハードウェアの組み合わせによって実行されるソフトウェアモジュールであろう。モジュールは、異なるモジュールの機能と動作の理解を容易にするために図３に示す形態で示されている。様々なモジュールのより詳細な説明を説明する。
【００７０】
プロセッサ
本実施形態では、プロセッサ３５は、電子回路１９の心臓部であり、図３に示されたすべてのモジュールの動作を制御する。プロセッサ３５は、ＡＳＩＣデバイスに基づいているが、好ましくは、メモリとその動作を定義するソフトウェアを有するプログラム可能なプロセッサ（例えばＰＩＣマイクロコントローラなど）であることもできる。このようなソフトウェア制御によるプロセッサは、インストール後に改善されたソフトウェアや追加機能の更新が容易になる。一次動作モードの間は、プロセッサ３５は、一次電源から派生した電圧から電力供給され、かつ二次動作モードと休止モードではバッテリー１７から派生した電圧によって供給される。
【００７１】
充電回路
充電回路３９は、バッテリー１７  （電源ユニット３１を介して）の充電状態を監視し、必要なときに、バッテリー１７を充電（または再充電）するために設けられている。バッテリー１７の充電状態を監視することによって、充電回路３９は、バッテリー１７が過充電されていないことを確認することができる。充電回路２９は、また、過去の記録および分析（例えば、所定の最小持続時間、例えば３時間明るさレベルを調整するなど）の目的で、そして（または）、ユーザに、表示器２３または通信変換器２５のいずれかを介して出力する目的で、診断モジュール４１に現在のバッテリーの充電状態を知らせることができる。本実施形態では、充電回路３９は、また、二次動作モードにおけるバッテリーの使用状態をモニタして、充電が完全に放電しないように管理する、バッテリーの破壊を防止するためである。故に本実施形態では充電回路は、バッテリーの受運伝レベルが所定の閾値以下になるときには、プロセッサ３５に信号を送って、非常時照明を停止させることができる。
【００７２】
診断モジュール
診断モジュール４１は、種々の診断テストを実行し、診断表示器２３を介してユーザに診断結果を示す。診断結果は、照明装置１の動作履歴を維持するために、プロセッサ３５のメモリ（図示せず）内に格納することができる。診断モジュール４１は、充電回路３９と交信してバッテリー充電状態情報を得、また、感知回路３７、通信モジュール４５および出力ドライバ５０との間では、その正しい動作を確認することができる。診断モジュール４１の動作は、通信変換器２５を用いて受信した信号を介して、または、端子３３を介して一次電源から通信された信号のいずれかを介して、ユーザによって制御することができる。
【００７３】
通信モジュール
通信モジュール４５は、通信変換器２５を介して照明装置１と外部機器との間の通信を制御するように動作可能である。通信モジュール４５の役割は、遠隔装置からのデータ受信、または遠隔装置へのデータ送信に必要な変調および復調を行うことである。例えば、通信モジュール４５は、診断モジュール４１から取得した診断データをリモートデバイスに送信して照明装置１の動作を遠隔監視することができる。または、ユーザ構成データを遠隔装置から受信し、プロセッサ３５にプログラムするようにしてもよい。
【００７４】
出力ドライバ
出力ドライバ５０はプロセッサ３５によって制御され、光源７の駆動に必要な駆動電流（又は電圧）を生成している。使用される出力ドライバ５０は駆動されている光源７の技術および構成に依存することになる。この実施形態では、光源７はＬＥＤであるので、出力ドライバ５０は、当該ＬＥＤの、それらのＬＥＤが個別であろうが文字列並びに並んでいようが、パルス幅変調（ＰＷＭ）電流フィードバック駆動などの効率的な機能を有する市販の集積回路ＬＥＤドライバとすることができる。各出力ドライバ５０は、プロセッサ３５によって（独立にまたは単一の存在として）制御されて、出力端子５１／４９に夫々の駆動電流（又は電圧）を生成する。出力ドライバ５０は、それらの電力を、電源ユニット３１によって生成された電源電圧で駆動信号を生成するに得る。
【００７５】
感知回路と電源ユニット
図３に示すように、感知回路３７は、電源ユニット３１を介し一次電源の端子３３の端子間インピーダンスを感知するように構成されている。本実施形態による、この接続がなされる方法と感知回路３７が測定を実行する方法を、図４を参照して説明する。図４に示すように、感知回路３７は、絶縁抵抗６１及び６３を介して一次電源端子３３に接続され、これにより、感知回路３７を損傷から保護している。感知回路３７が供給端子３３間インピーダンスを測定しようとするときは、端子間に測定電圧を印加する、これが基準電位とされ、且つ、アース電位から絶縁される。この測定電圧の大きさは好ましくは１Ｖから９Ｖの間であり、典型的には、バッテリー１７の供給電圧（３Ｖ）に近似の値である。この電圧は、典型的には８８ボルトと２６５ボルトの間のＲＭＳ値を有する交流電圧である幹線電圧の大きさよりもはるかに小さい。したがって、以下の説明から明らかになるように、幹線電圧が端子３３に存在するときは、感知回路３７は、電源端子３３間のインピーダンスを感知するための測定電圧を使用することができない。しかし、このことは、一次電源電圧が存在するときには、電源端子３３間インピーダンスを測定するための電子回路１９は必要がないので、重要ではない。実際、好ましい実施形態では、プロセッサ３５は、電源電圧が端子３３間に存在する場合、感知回路３７に、一次動作モードにおける測定電圧の発生を行わせない。供給電圧の存在は、例えば、一次電源端子３３両端の幹線電圧レベルが電圧の期待値の所定の範囲内にあることを確認することにより、または電源電圧の周波数が期待値内であることの確認すること、例えば、一次電源電圧が４０Ｈｚ乃至７０Ｈｚの周波数を有することを確認することによって、検出することができる。
【００７６】
図４に示すように、一次電源端子３３は、ＡＣ電源電圧を直流電圧に変換するブリッジ回路６９に接続されており、この直流電圧は、ツェナーダイオード７３を介して、スイッチモード電力制御モジュール７１に入力される。スイッチモード電源制御モジュール７１は、次いで、入力ＤＣ電圧を、電子回路１９の他の構成要素や、光源７に電力を供給するために必要とされる適切な出力電圧へ変換する。
【００７７】
ツェナーダイオード７３を使用する理由について説明する。上述のように、感知回路３７の目的は電源端子３３のインピーダンスを感知することである。ただし、この電源端子３３は、点灯回路２８（図２参照）と電源ユニット３１と電子回路１９の残りの回路コンポーネントへの両方に接続されている。それ故に、照明装置１の電源ユニット３１および／または他の回路が、一次電源端子３３間に低インピーダンス経路をもたらすと、感知回路３７は、点灯回路２８内のユーザ操作可能スイッチ２６が、実際にはそれらが開いている（高インピーダンス）であるにも拘わらず、誤って閉じている（低インピーダンス）と解釈するかもしれない。そこで、本実施形態では、ツェナーダイオード７３が用いられて、感知回路３７と電子回路１９の残りの部分との間に絶縁を提供するのである。この絶縁は、測定電圧の大きさがツェナーダイオードの降伏電圧よりも小さく、それゆえに、ツェナーダイオード７３が、感知回路３７に（あるいは、少なくとも、測定電圧に）高いインピーダンスをもたらすことにより、達成される。もちろん、一次電圧を電源端子３３間に印加されたとき、ツェナーダイオード７３間の整流ＤＣ電圧は、ツェナーダイオード７３の降伏電圧よりも、非常に大きいし、大きくなるのである。したがって、一次電源電圧は端子３３に存在するとき、ブリッジ回路６９からの整流電圧は、ツェナーダイオード７３を通過して、スイッチモード電力制御モジュール７１に供給される。  類似の絶縁手法を、他の半導体接合デバイスを用いて達成することができる：−  例えば、直列に接続された複数のダイオードを用いて、例えば、全ダイオードの全電圧降下が測定電圧よりも大きくして、または、測定電圧を従来のダイオードの降伏電圧よりも低下させることができる場合には、ツェナーダイオード７３を従来のダイオードに置き換えてもよい。
【００７８】
図４に示すように、一次電源端子３３間にコンデンサ７５が接続されている。このコンデンサ７５は、従来から、ＥＭＣ遵守と実行などの観点からの照明装置の性能を向上させるために使用されている。しかし、本実施形態では、コンデンサ７５は、電源端子３３間のインピーダンスを決定するときに感知回路３７によって使用されるのである。具体的には、コンデンサ７５は、感知回路３７が基準として検出するために、既知の回路部品を提供するのであり、その感知機能の自己診断検証を可能にする。
【００７９】
ｂ測定過程
上述したように、感知回路３７は、測定を行う場合には、電源端子３３間に測定電圧を印加する。この実施形態では、同一の点灯回路上の類似した照明装置１間での干渉の危険性を最小限に抑え、測定を行う際の、バッテリー１７から引き出されるエネルギーを最小にするために、感知回路３７は、電圧パルスシーケンス６７（本実施形態では、方形波パルスと示されているが、それらは別のパルス形状を持っていもよい）を含む測定信号６５を生成する。電荷は、各電圧パルス６７の間にコンデンサ７５にチャージされ、ひとたび電圧パルス６７が終了すると、その後、時間の経過とともに減衰する。コンデンサ７５の電荷が蓄積し、その後に、減衰する速度は、電源端子３３間のインピーダンスに、そして、それ故に、ユーザ操作可能なスイッチ２６の状態に依存する。
【００８０】
図５は、複数の送信パルス６７（図５ａ）と、コンデンサ７５に結果として現れる電荷（電圧）（図５ｂ及び図５ｃ）とを示す。図５ａは、感知回路３７によって生成された電圧パルスを示す。各電圧パルスの持続時間（Ｔ０）は典型的には６７ミリ秒のオーダーであり、パルス間の周期（Ｔ）は０．１秒乃至１０秒のオーダーである。図５ｂは、コンデンサ７５の両端電圧が蓄積し、その後に、手操作可能スイッチ２６が開放（ハイインピーダンス状態）されている時間に亘って、減衰する様子を示す図であり、図５ｃは、コンデンサ７５の両端の電圧が蓄積し、その後に、手操作可能スイッチ２６が閉じられる（低インピーダンス状態）されている時間に亘って、減衰する様子を示す図である。図５ｂ及び図５ｃを比較することによって分かるように、コンデンサ７５の両端間の電圧が蓄積し減衰する速度は、電源端子３３間のインピーダンス並びに手動操作可能スイッチの状態に依存する。したがって、感知回路３７は、コンデンサ７５の両端の電圧を監視することによって手操作可能スイッチ２６の現在の状態を感知することができる。感知回路３７が、この監視を実行する上で様々な形態が取りえるであろうが、これらのいくつかを以下に説明する。
【００８１】
スイッチ２６の状態を検出するための一つの技術が、図５ｂ及び５ｃそれぞれの左側の波形に示されている。この技術では、感知回路３７は、減衰電圧が、点Ｗ２（コンデンサ７５両端の既知電圧Ｖ２に相当）から点Ｗ１（コンデンサ７５の両端既知の電圧Ｖ１に相当）に落ちるように減衰するのに要する時間を測定し、それから、決定された時間を（図５ｂのプロットの場合はＴ１、図５ｃプロットの場合はＴ２）所定のしきい値にと比較する。この決定時間が、図５ｂに示すプロットの場合のように、その閾値を超えている場合は、手操作可能スイッチ２６が開状態にあると判定し、決定時間が閾値未満である（例えば、図５ｃのプロット）場合は、手操作可能スイッチ２６が閉状態であると判定する。
【００８２】
判定に用いる上記の所定閾値は、工場出荷時定数として設定したり、或いは、照明装置１が設置される設置場所に応じて適合させてもよい。例えば、感知回路３７は、所定の期間にわたってインピーダンスの変化を感知し、測定時間の最小値と最大値を検出するように構成することができる。そして、しきい値は、これら２つの時間の間のどこかに設定することができる。あるいは、インストール時に、ユーザが、手操作可能スイッチ２６を複数回オンしそしてオフして切り替える（一次電源を点灯回路から絶縁するとき）ことを要求されるようにして、手操作可能スイッチ２６が開状態の時と閉状態の時の測定結果を得るようにしてもよい。適切なしきい値が、特定のインストールのために決定することができる。建物内のインピーダンス、即ち、点灯回路２８のインピーダンス３０は時間の経過とともに変化するかもしれないので、感知回路３７は、感知回路３７自身が行う、高インピーダンス測定用の移動平均値と低インピーダンス測定用の移動平均値とを保持し、時々、これらの平均値を用いて、上記しきい値を再設定する。
【００８３】
上記手法技術に用いる閾値電位Ｖ１とＶ２は、また、工場出荷時設定されたしきい値であってもよいし、点灯回路２８にインストールされた後で、照明装置１の校正ルーチン中に動的に設定してもよい。これらの閾値は、好ましくは、手操作可能スイッチ２６の開状態と閉状態との間の測定時間における、信頼できる幅の隔たりを生むように選択することができる。
【００８４】
代替的な測定技術が、図５ｂ及び図５ｃの、右側のプロットに示されている。特に、この測定技術では、感知回路３７は、コンデンサ７５の両端子電圧が、点Ｗ３の測定最大値（Ｖ３）から、降下する電位が値Ｖ４（この値は、ピーク電位Ｖ３の既定の分数（例えば五分の一）である）にまで低減する点Ｗ４までの降下に要した時間を測定するように配置されている。これにより、以前のように、一次電源端子３３間に高インピーダンスが存在する（且つスイッチ２６が開状態にある）場合に、測定時間Ｔ３は、前記閾値よりも大きな値となり、反対に、測定時間Ｔ４は、（スイッチ２６が閉状態で）一次電源端子３３間に低インピーダンスであるときの閾値よりも小さな値となる。
【００８５】
上記技術のいずれかを用いて、感知回路３７は、好ましくは、図５ｄ（これは、ハードウェアおよび／またはソフトウェアで実装されてもよい）に示したウィンドウコンパレータ８１のようなウィンドウコンパレータを使用する。この場合において、入力電圧Ｖｉｎ は、（これは、コンデンサ７５の両端電圧である）２つのコンパレータ８３−１と８３−２に入力される。コンパレータ８３−１において、この入力電圧が高電位基準値（上記第１の技術の電圧Ｖ１、または、第２の技術のコンデンサの測定最大電圧Ｖ３）と比較され、他方のコンパレータ８３−２では、入力電圧は低電位基準値（第１の技術の電圧Ｖ２、または、第２の技術の電圧Ｖ４）と比較される。このウィンドウコンパレータ８１からの出力Ｖｏｕｔ は、入力電圧が上記２つの基準電位の間にあるときは、低レベル出力となり、そうでなければ、高レベルの値になる。感知回路３７は、それで、時間Ｔ１ とＴ３を、出力電圧Ｖｏｕｔ の立ち下がりエッジから立ち上がりエッジまでの間の時間として測定する。
【００８６】
電源端子３３間のインピーダンスを感知するためのさらなる代替の方法は、コンデンサ電圧の立ち下がりエッジで単一の測定値を使用することである。具体的には、感知回路３７が、各測定電圧パルス６７の持続時間値Ｔ０と振幅値Ｖ０との両方を知っていると仮定すると、この振幅値の部分割合を、持続時間の終点タイミングとすることができる。このように、感知回路３７は、電圧パルス６７の立ち上がりエッジまたは立ち下がりエッジから、コンデンサ７５の両端電圧が上記所与のしきい値にまで落ちるのために要した時間を算出する。さらにあるいは、感知回路３７は、単に、コンデンサ７５の両端電圧の、測定電圧パルス６７の立ち上がりエッジまたは立ち下がりエッジの所定の時間後時点における瞬時値を測定するようにしてもよい。電源端子３３間インピーダンスが大きいときの測定電圧は、電源端子３３間インピーダンスが小さいときのそれよりも、大きくなる。しかし、このような絶対測定は好ましくない、何故ならば、それらはノイズと測定誤差の影響を受けやすい。実際、好ましい実施形態では、感知回路３７が、手操作可能スイッチ２６の状態の初期判断を一度行えば、感知回路３７は、それに続く測定電圧パルス６７から得た測定値と比較して、手動操作スイッチ２６の変化を検出する。感知回路３７は、一つの測定から次の測定での測定時間の実質的な変化を検出することによって、これを行う。感知回路３７は、手操作可能スイッチ２６の状態の変化を検出すると、照明装置１の動作モードを変更する前の状態の変化を確認するために付加的な測定の回数を実行する。これらの追加の測定値は、状態変化を示した最初の測定がノイズや測定誤差によって引き起こされた場合、あるいは、１つ以上の他の照明装置１からの測定信号と不一致の場合に、使用される。
【００８７】
複数照明装置間の干渉
上述したように、複数の照明装置１（図１に示すような）を、複数の取付照明やシャンデリア等のように、所定の点灯回路２８に並列に接続することができる。各照明装置１は、夫々自身のインピーダンス測定のための１セットの測定パルス６７を、それらが休止モードと二次動作モードにあるときに、生成する。測定電圧パルス６７が一つの照明装置１により電源端子３３間に印加される場合に、他の照明装置１が接続されることは、電源端子３３間で測定すると、明らかな容量性負荷の追加（コンデンサ７５故に）をもたらす。これは、感知回路３７によって測定される、充電速度とコンデンサ電圧の減衰率を変化させることとなる。したがって、感知回路３７は、再度、適切な較正ルーチンの際に、必要に応じて、閾値を調整して感知回路３７の検出精度を最大化する。速充電速度から、感知回路３７は、同じ点灯回路２８に接続された他の類似の照明装置の数を推定することができる（これは、感知回路３７がコンデンサ７５の容量値を知っており、それら他の照明装置にも同様のコンデンサが設けられていると推定できるからである）。
【００８８】
上述したように、各測定電圧パルス６７の継続時間（Ｔ０）と、パルス間の間隔時間（Ｔ）とは、好適には、二つの照明装置１（同じ点灯回路２８に接続されている）が測定電圧パルスを同じ一次電源端子３３に同時に印加する可能性を最小にするように、選択される。とりわけ、周期Ｔが、各電圧パルス６７の継続時間ＴＯよりもはるかに大きい場合（本実施例では、１００?１０００倍大きい）には、複数の照明デバイス１が測定パルスを同じ瞬間に一次電源端子３３に印加することは極めて稀である。そのような衝突の可能性は、続く測定パルス６７の間の時間周期Ｔをランダムにまたは疑似ランダムに変化させることによって、さらに低減することができる。これは、例えば、一定周期Ｔを用いて、各測定時点で、ランダム又は疑似ランダムに変化する量を加算または減算することによって、達成することができる。クロック周波数に、照明装置１間（製造されたコンポーネント間の物体上の固有の違い）で、このランダム量と変動量とを組合せることは、２つ以上の照明装置１が夫々の測定パルス６７を同時に印加する可能性を減少させやすい。
【００８９】
他の照明装置１が測定パルスを一次電源端子３３に同時に或いは近接したタイミングに印加するようなことが稀でも発生した場合には、間違った読み値が得られることとなる。しかしながら、好ましい実施形態では、上記のように、感知回路３７は、決定を行う前に、複数の測定パルス６７から得られた測定値を使用するようにしている。このことは、単一パルスから得られる１つの測定が単独で使用されることはないこと、それ故、他の照明装置１によるかかる同時（又は重なり合う）測定によって引き起こされる誤差により、照明装置１の誤動作引き起こさせない、即ち、信頼性のある動作を提供することができる、ことを意味する。
【００９０】
他の照明装置１，５との衝突を回避目的のための、パルス周期Ｔを変化させることに加えて、パルス周期Ｔを、他の目的のために、変更することができる。例えば、感知回路３７は、電源端子３３間インピーダンスの変化を最初に検出すると、続く測定パルス間の周期を短くして、変更された回路インピーダンスが有効であり、且つ、判定がなされて照明装置１の動作モード変更される前まで持続的であることを確認する。
【００９１】
逆に、測定電圧パルス６７との間の期間は、バッテリー電力を節約するための時間を超えてインテリジェントに延長することができる。特に、照明装置１が、一次動作モード（または二次動作モード）から最後に休止動作モードに最後に切り替えたときに、次に感知回路３７は、通常の繰り返し周期Ｔで、電源端子３３間のインピーダンスを測定するように構成されてもよい。
【００９２】
しかしながら、照明装置１の運転状態が延長された期間（数週間または数ヶ月の間の期間）中に変化しない場合は、次に感知回路３７を、測定電圧パルス６７間の間隔を広げるように配置することができる。典型的には、測定パルス電圧６７間の通常の周期期間（Ｔ）は５０?５００ミリ秒の間であり、この期間は、例えば、秒のオーダーにまで延長することができる。このように測定パルスを遅らせることは、必要なときに緊急時照明へ切り替えるときの若干の遅延を甘受することになるが、休止モードでのバッテリー１７から引き出される電力量をかなり減らすことになる、測定電圧パルス６７との間の期間はバッテリー１７の充電状態に依存してもよい。バッテリーの充電量が減少するにつれて、特に、プロセッサ３５は、感知回路３７に通知して、測定電圧パルス６７間の間隔（Ｔ）を増加させてもよい。このように、バッテリー１７からの流出を最小限に抑えることができる。
【００９３】
マスター／スレーブ動作
複数の照明装置１（例えば、図１に示すような）が同じ点灯回路２８上に、または、同じ領域内にある場合に、照明装置１間の干渉を、照明装置のいずれか１つをマスター照明装置と設定し、このマスターにはインピーダンス測定を行わせ、他の照明装置１をスレーブとして設定して、これらスレーブにはインピーダンスの測定は行わせないようにすることにより、干渉をさらに低減することができる。照明装置のそのようなマスタ／スレーブ対を図６に示す。マスター照明装置は１−Ｍと指定され、スレーブ照明装置は１−Ｓと指定されている。この実施形態では、マスター照明装置は、マスター照明装置１−Ｍが、電源障害が発生しており、手操作可能スイッチ２６が閉状態にあると判断したときは、他のスレーブ照明装置１−Ｓに、夫々が、二次動作モードに入るべきこと、夫々は夫々の内部バッテリー１７を用いて照明を発生すべきこと、を信号で知らせる。照明装置１間の通信は、夫々の通信変換器２５を使用して達成する。あるいは、マスター照明装置１−Ｍは、電源端子３３間に通信信号を印加することによって、同じ点灯回路２８に接続された他の照明装置１に通知することができる。この通信信号は適合する搬送波周波数に対して変調されて送出され、これらのスレーブ照明装置１−Ｓが、当該通信信号を、電源端子３３で受信したいかなる一次電源信号から区別する、ことができるようにする。
【００９４】
通信変換器２５を、照明装置１間の通信に用いる場合に、１つ以上のスレーブ照明装置１−Ｓがマスタ照明装置の通信可能範囲外にあるには、マスター照明装置１−Ｍの交信可能範囲内にある他のスレーブ照明装置の内の１つ以上の照明装置は、マスター照明装置との間のメッセージを交信可能領域にいないスレーブ照明装置と交信できるように、リピータまたはリレイ装置として動作することができる。
【００９５】
スレーブ照明装置１−Ｓの電子回路１９によって生じる干渉を制限するために、各照明装置１は、電源端子３３から励起回路１９をなくすことができるように、リレー装置または類似の隔離装置または遮断装置７７を含むことができる。照明装置１がこのようにしてスレーブデバイスとして構成されている場合は、そのスレーブ照明装置は隔離装置７７を動作させて、一次動作モードを除くすべての動作モードにおいて、その電子回路１９を電源端子３３から隔離する。このように、スレーブ照明装置とマスター照明装置とが休止モード若しくは二次動作モードにあるときは、マスター照明装置１−Ｍはインピーダンス測定を実行し、全てのスレーブ照明装置１−Ｓは電源端子３３との間で隔離装置７７により開回路状態となる。もしマスタ照明装置（または他のデバイス）が、動作モードを変更すべきと判定した場合、マスター照明装置１−Ｍは、スレーブ照明装置１−Ｓに、対応して動作モードを適合すべき旨の状態変更を通知する。スレーブ照明装置が一次動作モードにもどされた場合には、そのスレーブ照明装置は、隔離装置７７を非アクティブにして、スレーブ照明装置の電子回路１９を再び電源端子３３に接続する。
【００９６】
したがって、当該技術分野における当業者ができるように、スレーブ照明装置１−Ｓの各々にかかる隔離装置７７を設けることにより、スレーブ装置により生み出された干渉を除去することによるインピーダンス感知の有効性と効率性とを改良することができる。また、マスタ手段としての１つのみの照明装置を利用することにより、そのバッテリーからの電力流出（少なくともスレーブ照明装置上において）を最小化することができる。上記隔離装置７７を従来の電球内に設けることは、また有効である、何故なら、従来の電球を通るいかなる低インピーダンスパスの発生が、マスター照明装置による（点灯スイッチ２６が開いているか閉じているかを検出するための）測定に悪影響するのを防止するからである。マスターがその測定を実行するときには、隔離装置の内で或いは外で正しい切り替えを確保するには、やはり、インテリジェントな形態のＰＳＵデバイスを必要とするであろうが、そのような電球はバッテリーや感知回路を具備していないであろう。そのような実施形態で、一次電源障害が起こったときには、バッテリー若しくは二次電源を有する照明装置だけが非常時照明を提供し、二次電源を持たない他の照明装置は非常照明を提供できない。
【００９７】
どの照明装置１がマスターで、どの照明装置がスレーブであるかを決定することに関連して、この選択はユーザによりなされるのであり、例えば、構成データを各照明装置１に設定し、例えば、通信変換素子２５を用いて構成信号を各照明装置１に送信することにより、行うことができる。あるいは、この選択を、点灯回路２８に接続された順に応じて自動的に決定するようにしてもよい。一実施形態では、マスター照明装置１−Ｍの役割が複数の照明装置間で回り持ちされて、異なる照明装置１に亘って、バッテリー消費量が均等化される。例えば、マスター照明装置１−Ｍを、スレーブ照明装置１−Ｓの各々をポーリングして、夫々の現在のバッテリー充電状態を決定するように、プログラムしてもよい。このポーリングの結果に応じて、現在のマスター照明装置１−Ｍ（または外部装置）は、スレーブ照明装置１−Ｓの１つをマスタとなるように決定し、適切な引き継ぎを行うようにする。
【００９８】
電力制御回路
上述したように、電子回路１９は、電源端子３３間から発生あせた電圧か、または、バッテリー１７からの電圧のいずれかから電力を供給される。したがって、切換回路は、一次電源からのＤＣ電圧とバッテリーからのバッテリー電圧のいずれかを光アレイ１１と（または）電子回路１９の回廊部品に供給するかを選択して切り替える切換回路が必要である。
【００９９】
図７に示す回路構成は、一次電源電圧Ｖ（一次電源電圧を整流した電圧スイッチモード電力制御モジュールスイッチモード電力制御モジュール７１又は他のＰＳＵユニットからの出力）と二次電源電圧Ｗ（バッテリー１７から得られた）の最も高い方の電位差が、プロセッサ３５と照明装置１のその他の電子部品へ、自動的に継続的に電力供給されるのを可能にするものである。図示のように、この回路は２つのダイオード９０−１及び９０−２を有し、ダイオード９０−１の入力側は一次電源電位Ｖに接続され、ダイオード９０−２の入力はバッテリー１７から得られる二次側電源電位Ｗに接続されている。図示のように、プロセッサ３５への供給電位は、ダイオード９０の両方の出力に接続されている。したがって、プロセッサ３５は、電源電位Ｖと二次バッテリーの電位Ｗのいずれかを、それらの瞬時値に応じた電位を、引き出すことになる。したがって、この回路構成は、単純な無停電電源装置（ＵＰＳ）構成を提供するものである。
【０１００】
プロセッサ３５に追加して、或いは、プロセッサ３５の代わりに、他のシステム要素（光源または光アレイを含む）を、図７（またはその変形）の回路構成を使用して電力供給するようにしてもよい。しかしながら、回路装置が光アレイの電源である場合のような特定の状況では、ダイオード９０の両端間の電圧降下は、バッテリー１７から動作する場合には、バッテリー１７から利用可能な電圧のかなりの部分を表すので、非効率の原因となる。
【０１０１】
したがって、一次電源および二次（バッテリー）電源の切り替えのためのスイッチング装置が、最小限の電圧降下、即ち、動作の効率性を保ちつつ、その一方で、バッテリー電源から一次電源回路への放電を防止することが必要である。言い換えれば、十分な完全な絶縁を実現して、バッテリーの一次電源からＤＣ電源への接続は防止しなければならない。そうでないと、一次電源からの電力を使用してバッテリーの充電が無制御になってしまうからである。
【０１０２】
好ましい実施形態で、図７の単純なダイオードの使用に関わる電圧降下を避けるために、図８の回路９２を用いて、バッテリー１７からのバッテリー電力の引き出しを制御するようにする。同様の回路９２を、スイッチモード電力制御モジュール７１からの一次電源電圧出力からの電力引き出しを制御するために設けてもよい。図示のように、負荷制御回路９２は、２つの逆直列接続された金属酸化膜電界効果トランジスタ（ＭＯＳＦＥＴ）９３−１及び９３−２を有しており、この配置は、不活性状態で逆電流を防止しながら、負荷制御を提供する新規な配置である。２つのＭＯＳＦＥＴの逆接続は、に固有の内部ボディダイオードの性質を克服するもので、そのようにしないと、それらデバイスがオフのときでも、好ましくない電圧降下および／またはＭＯＳＦＥＴデバイス９３を流れる電流につながってしまう。
【０１０３】
図示のように、回路９２は、入力端子９４と制御端子９６と出力端子９８を含む。入力端子９４は、端子３４（電位Ｘがあるとしてここに示されている）を介してバッテリー１７に接続される、電源入力端子である。制御端子９６は、負荷制御回路９２からの出力を制御するためのアクティブロー入力である。出力端子の正の出力電位      入力端子９４（電位Ｙとして示される）に対して負の電位を印加すると、出力端子９８には正電位の出力（電位Ｚとして示す）が結果する。この出力は入力端子の電位（Ｘ）に対してわずかに低い。
【０１０４】
インピーダンス素子１００（典型的には抵抗器）は、入力端子９４からの制御端子９６への電力の供給源を提供する。これは、例えば、プロセッサ３５のような他のシステム要素のイベントに関連するもので、イベントとは、低バッテリー充電レベルなどにより長期または持続した長期の冬眠若しくは“スリープモード’に入ることである。このインピーダンス素子１００は、したがって、制御入力端子９６を、制御端子９６用の給電制御回路（例えばプロセッサ３５など）が高インピーダンスまたは切断状態にあるときに、入力電位（Ｘ）の近くに保つ（Ｘ）。これは、ＭＯＳＦＥＴ９３をオフのままとし、したがって、入力端子９４と出力端子９８との間を高インピーダンスに維持することを確実にする。
【０１０５】
図８に示すように、２つのＭＯＳＦＥＴ９３の各々は、ゲート（Ｇ）、ソース（Ｓ）及びドレインを（Ｄ）を有する。ＭＯＳＦＥＴは、デバイスの構造自体に固有の逆’ボディ?ダイオード’が存在するという問題がある。この問題を除去するために、これら２つのＭＯＳＦＥＴは、直列に、且つ、ＭＯＳＦＥＴ９３−１のドレインがＭＯＳＦＥＴ９３−２のドレインに接続されるように接続されている。このことは、ＭＯＳＦＥＴ９３に固有のボディ?ダイオードが、（図８に１０１−１と１０１−２で示されている）が互いに向かい合うことを意味する。これにより、ＭＯＳＦＥＴがオンにされていない場合の、ボディダイオードを逆方向電流の流れることの結果として生じる問題を排除する。ＭＯＳＦＥＴ９３がオンのとき、ＭＯＳＦＥＴのペア間の電圧降下は最小限であり、回路の動作には問題をおこさせない。これは、通常のバッテリー電圧、又は、幹線電圧に由来し、スイッチモード電源制御モジュール７１により発生される電圧（典型的には数ボルトである）に比較して有意な節約になる。ＭＯＳＦＥＴ９３が、一方のＭＯＳＦＥＴのソースが他方のＭＯＳＦＥＴのソースに接続されるように接続されている場合でも、同様の効果を得ることができる。
【０１０６】
したがって、２つの対向するＭＯＳＦＥＴ９３を上記のようにして用いることにより、それらがスイッチオンされるときに発生するＭＯＳＦＥＴ９３の両端間の電圧降下の問題や、また、ＭＯＳＦＥＴが９３ハイインピーダンス状態にあるときの、逆向き接続されたボディ?ダイオード１０１が、入力端子９４と出力端子９８との間に、一次電源（スイッチモード電源制御モジュール７１を介してまたは別の方法で得られる）とバッテリー１７から得られた二次電源との間の電位差によって生じる電流が流れるのを妨げるという問題がなくなる。
【０１０７】
自己テスト診断
診断モジュール４１は、検証および診断目的のための自己テストを実行するように構成することができる。この検証と診断は、ある時間間隔、または、通信モジュール４５等を介して受信された信号によるユーザ要求に応じた別途のコマンド若しくはイベント等により、連続的または断続的に行われてもよい。あるいは、バッテリー１７や他の二次充電デバイスの充電/放電性能に関連した、過去の記憶データ及び又はリアルタイム測定値を含む回路状態をモニタリングすることにより、これらの試験を、インテリジェントに適切な時間にスケジュールしてもよいし、また、最適な運用効率のために、システムの現在の動作モードに依存させてもよい。
【０１０８】
テストでは、プロセッサ３５または回路１９の他の構成要素によって、任意の期間にわたって収集されたデータのソフトウェア解析を含んでもよい。たとえば、バッテリー１７等の機能や性能を検証する場合に、バッテリー電圧の測定や、充電回路３９による充電時の切換早さ、または、充電されていないときの期間における切換早さの測定から集めたデータを用いて分析を行うことができる。尚、これらの時点で、充電電流を、代わりに或いは付加的に、入力データとしての続く使用について、充電回路３９により測定してもよい。
【０１０９】
この分析は、このように  既知のロードかもしれないような電位差の減衰率などのより適切なデータ測定値を取得する機会を提供し、その中に格納されている電位の吐出に影響をバッテリー１７への任意の荷重を加えることを含むことができるこのような指定の切り替え可能な抵抗としての目的、、しかし、光源（Ｓ）７自体が、内部的に測定されたまたは既知のハードウェアパラメータから近似することができる負荷かもしれない。この場合、システムは、任意のモードで動作するが、好ましくは発光がすでに要求され、したがって、そのようなテストは見過ごさあろう時の動作の一次または二次モードのいずれかの間にすることができる。試験は次モードの動作中に実行された場合は、バッテリー１７の一部またはデータがバッテリー解析のために収集される時間の期間限定７光源（複数可）を動作させる電力をすべて提供する。このようなテストのいずれか自動時間スケジューリング（例えば、利用年齢や量に関して収集されたデータに関連するなど）、または手動で（例えば、前または過去の試験結果によればとして、あるいはユーザの要求に応じて）に応じて間欠的に行ってもよい。使用されるバッテリー技術に応じ場合には、このテストは、代わりに又は追加的な場合で実行されてもよく、定期的にまたは部分的もしくは完全にバッテリー寿命が延びるや使用サイクルを通して性能を維持する目的で、排出される二次電源供給のために有利である。このような戦略的な完全または部分的な放電が診断テストルーチンの一部として、パフォーマンス分析とバッテリーコンディショニングおよび／または保守の両方を組み合わせるための理想的な機会を表しています。
【０１１０】
完全なまたは実質的な放電が電源障害時に２次モードで動作する能力の点で望ましくない、したがって、そのような動作は好ましくはまれな発生に限定され、そのような緊急照明の規制が試験を必要とし得る場合のように、ユーザの要求、時持続性能。代替的に、部分放電試験が確認されて表示又は診断モジュール４１または通信モジュール４５を介して通信されるようにバッテリー容量を推定するための十分なデータを（完全電位又は残りのいずれか）を提供することができる。
【０１１１】
有利には、バッテリー１７（光源（Ｓ）７）、バッテリー放電の解析確かめるバッテリー性能に行うことができます上の負荷に存在がすでに存在する場合にテストが二次モードの間に実行された場合。さらに有利には、このようなテストルーチンがさらに残っている可能性が高い容量を予測または推定するために使用することができる。このような情報は、プロセッサ３５の制御を介して、あるいは、インテリジェント緊急照明では、例えば定期的に、または絶えず調整することができる照明の最小持続時間を与えることを保証するために電流を達成又は最適化するためにバッテリーから取ら電力を調整することができる念頭に置いていきたいと考えています。あるいは、このような残存容量または期間推定値は、単に保存したり、使用され、何らかの方法でそのような診断モジュール４１または通信モジュール４５を介して、ユーザに伝達することができる。
【０１１２】
修正および代替形態
上記実施形態では、ツェナーダイオード７３は、感知回路３７は、そのインピーダンスの測定を行っている電子回路１９の他の成分から感知回路３７を分離するために使用された。様々な他の技術が同様の分離を実現するために使用することができる。例えば、リレーや変圧器は、所望の分離を実行するために使用することができる。図９は、インピーダンス測定を行う際に、電子回路１９の他の成分から感知回路３７を分離するために電源トランスを使用して、３つの代替的な構成を示す図である。これらの変圧器の設計と、変圧器は、その後、平滑化され、図４に示したものと同様のブリッジ回路６９を用いて直流電圧に変換することができる低い電圧に一次供給電圧をステップダウンするために使用される。このような変圧器ベースの分離ソリューションは上記のメイン実施形態よりも少ない洗練されていながら、彼らは、感知回路３７と、感知回路３７と他の間の主要な電源とアイソレーションの間、彼らはアイソレーションを提供するという利点を提供していますか
電子回路１９の構成要素。
【０１１３】
図９ａに示す構成では、変圧器８２を有する一次電源（Ｊ）は、一次巻線８４に接続され、セカンダリが２つの部分に分割巻線８６を有する−電位Ｋ降圧を提供する主な二次巻線８６−１とを有する三次８６−２曲がりくねった感知回路３７に接続する。操作上、電源電位Ｊが存在しているプライマリモード中に、電位Ｋ（または、結合された電位Ｋ＋Ｌ）電子回路１９および光源７に電力を供給するための通常の電力を提供するために使用される。休止と二次モードの間に、しかし、主の潜在的なＪはもはや適用されず、感知回路３７は、二次巻線８６−２の端子Ｌを越え測定パルスを適用します。これらのパルスは、変圧器８２の磁束通常の操作により、一次巻線８４に信号を誘導する。Ｋ越えの回路の接続は一定に保たれますので、無視することができる。したがって、Ｊ間に高又は低インピーダンスの変化が電気的に絶縁されたまま、一方Ｌにわたって測定することができる。したがって、感知回路３７をオンまたはオフユーザ操作可能なスイッチ２６のスイッチングユーザから生じ得るような照明装置１が接続された点灯回路２８のインピーダンスの変化を検出することができる。
【０１１４】
図９ｂは、２つの変圧器８２−１及び８２−２は、本実施形態の動作が取ら電力で、図９ａについて上述したものと同じままＭ．電位を有する一次電源を横切って直列に接続された変圧器の代替構成を示して基本モードとインピーダンスセンシング休止モード中、二次及び感知回路３７によって行われているときＰを透過したパルスでＮ横切る。図９ｃは、代わりの動作モードの間の第一の一次電源入力からＱ従来配備変圧器８２を提供電位差Ｒを示し、ワイヤのコイル８８は、一次巻線８４との接続を周りに又は近接して配置されているパルス一次電源線に誘起される電流の結果Ｓ間に印加される。誘導電流はで感知回路３７によって検出することができるＳ渡る逆起電力を誘起になり、一次電源ラインのインピーダンスに依存します。
【０１１５】
上記実施形態照明装置は、一次電源障害が発生したときに、バックアップまたは二次電源を供給するためのバッテリー１７を含んでいた。このバッテリーは、任意の技術とすることができる、交換可能又は非交換可能な複数のバッテリーが直列および／または並列に接続設けたものでもよい。バッテリー自体が、当該バッテリー技術に適した、単一または複数のセルを含んでもよい。複数セル構造バッテリーを使用する場合、充電器は、それぞれ個別に監視し、必要に応じて、セルまたはセルのグループを充電するように構成することができる。あるいは、代わりに一つ以上のバッテリー１７を使用するのではなく、他の電荷蓄積デバイスは、キャパシタなどの二次電源を提供するように使用することができる。バッテリーは、それらが長期間にわたって二次パワーを提供することができる故に好ましい。二次貯蔵装置は、好ましくは、照明装置の内部に取り付けられるか、所望の場合には、外部に実装することができる。一実施形態では、バッテリーは、照明装置が、その一次動作モードでのみ動作するように、電子回路１９から単離することができる。これは、受信したユーザ入力に応答して、または、バッテリーの障害または他のシステム?コンポーネントの故障を検出したことに応答して行われてもよい。
【０１１６】
上記実施形態では、感知回路３７は、電源端子３３間に、一次電源端子３３間のインピーダンスを測定するために、電圧パルスを発生していた。代替実施形態では、感知回路３７は電流発生器を含むことができ、それと引き替えに、供給端子３３の一方または両方に。既知の電流パルスを印加するようにしてよく電源端子間の電圧を測定し、それから、電源端子間電圧を測定して、供給端子３３間のインピーダンスの測定値を決定するようにしてもよい。
【０１１７】
また、上記実施形態では、照明装置に使用された光源１はＬＥＤであった。当業者には理解されるように、ＬＥＤの使用は、それらを制御することの容易さ（例えば、出力強度）、その長期の予想寿命、乱暴な取り扱いに対する耐性および特定の利点の（バッテリー動作尤与え与えられることが好ましいデバイス）、低消費電力、など。しかしながら、上記光源は、コンパクトな蛍光灯、白熱灯（ハロゲン照明など）等のような、任意の照明技術から形成することができる
上記実施形態では、照明装置は、通常の電球そっくりの形態をとっていた。しかしながら、照明装置は、一般的な蛍光灯’ストリップライト（線形照明）’に類似の細長いチューブの形態をとることができる。
【０１１８】
上記実施形態では、バッテリーは、光源から熱を抜き出すためのヒートシンクの空洞内に取り付けられている。当業者は理解するであろうように、バッテリーを上記のように装着することや、この特定のヒートシンクの使用は必須なものではない。バッテリーは、任意の便利な場所に装着することができ、ヒートシンクは、任意の所望の形状を有することができるし、または必要に応じて省略することができる。ヒートシンクが設けられる場合には、それは導電性材料から形成され、ユーザが触れるまたはヒートシンクの近傍に近づいたときに感知できるような容量感知回路に結合されている。例えば、ヒートシンクは、電気的に電荷感知回路に結合されている１つまたは複数の導電性プレート（これらは、また、冷却フィンとして機能することができる）を含んでもよい。  その測定回路は、電荷測定法（当業者に周知）に基づいて電荷の値を決定することができる。この値は、静電容量フィールドが、ユーザが触れたり、ユーザの体の一部がプレートの近辺内に入った、などによって、変動する。このユーザ入力を、例えば、照明装置の動作制御に、例えば、動作モードの制御、または、ランプの明るさの、ユーザがヒートシンクに近接し、或いはタッチするのに要した時間の計測値に応じた制御に用いることができる。他の技術を、例えば、近距離レーダ装置を、本実施形態の近接センシングに用いることができる。
【０１１９】
上述した実施形態では、照明装置は、診断および通信回路が含まれていた。当業者には理解されるように、この回路は必須ではなく、必要に応じて省略できる。さらに、１つまたは複数のユーザ入力は、スイッチや照明装置に取り付けることができる。このユーザ入力は、動作の特定のモードを開始するか、またはユーザー設定を入力するか、または自己診断テストを開始する照明装置を引き起こすために用いることができる。
【０１２０】
上記実施形態では、照明装置は、通信振動子２５を使用して外部デバイスと通信することができた通信モジュール４５を含んでいた。別の実施形態では、照明装置１がインストールされた点灯回路２８を介して信号を送信することにより、通信モジュール４５は外部デバイスと通信する。このような通信信号は、通信信号を幹線側信号から分離することができるように、幹線側信号とは異なる周波数で送信されるであろう。通信振動子２５を使用することの代わりに、或いは、また、追加的に、電子回路１９、光源７によって生成される光を変化させることによって、一つ以上のリモート装置と通信することができる。例えば、送信するデータに応じてそれらのオンとオフを切り替えることができる。遠隔装置内の受信機は、光源（複数可）７によって生成される光の変化を検出することによってデータを回復するだろう。関係なく用いられる通信技術の、様々な標準的な通信プロトコルは、照明装置とリモートデバイス（単数または複数）との間の通信を使用することができる。
【０１２１】
上述した主要な実施形態では、電子回路１９は診断モジュール４１を含み、診断テストを実行し、診断表示２３を制御して診断テスト結果を表示するために診断表示器２３を制御していた。前述したように、診断試験を、例えば、二次側電源（例えば、バッテリー１７）の残容量を決定するために、着色指示器２３またはＬＥＤ表示器２３のパルスの変化によって示すことができる。この構成に伴う問題は、照明装置１が有用光を生成する場合には、この一般的な照明は、診断表示器２３の視認性をマスクする可能性があるということである。この問題は、診断表示器２３が、照明装置１の停止（例えば、照明装置が一次動作モードから窮しモードに遷移する場合など）後の短い時間の間、有用な光を発生することによって、克服することができる。あるいは、光アレイをい、部分的に、或いは全体的に、診断、状態、障害、条件または他の目的のための、情報表示器として機能するように用いてもよい。例えば、光アレイ１１による光を、電子回路１９によって測定され、制御された、バッテリー残量に応じて変化するパルス列とすることができる。ユーザは、必要に応じて、電子回路内に、適切なユーザー設定パラメータを格納することによって達成される方法を設定することができる。たとえば、通信振動子２５を使用してデバイスと通信する遠隔制御装置を用いる。
【０１２２】
上記実施形態では、ユーザは、通信振動子２５と遠隔制御装置とを用いて、照明装置１の様々なユーザ設定可能なパラメータを設定することができた。別形態として、照明装置１は、追加の構成または’設定モードを設定できるようにしてもよい。これは、定義が容易な、構成であり、選択であり、セーブ可能な変更である。これらは全て、照明装置１への一次電源供給時においてユーザが操作スイッチ２６を開き或いは閉じる操作を介しての変化である。例えば、電子回路１９を、ユーザが、照明装置１への一次電源供給を３秒間に三回切り替えるような場合、それは「設定モード」に入って、その後選択し次の５秒以内にセットアップモード、一つのサイクルに入るように配置されてもよい特定のオプション等のような構成技術は、簡単かつ安価に実現するであろうと、ユーザがユニットの動作を規定する特定の他の制御パラメータを選択することができるようになる。これが含むことができるが、定義に限定されるものではなく、プライマリまたはセカンダリモード、および経時的な二次モード時の照明光量の変化エミッタ明るさまたは二次電源等に残っている電荷に係る
上記実施形態では、照明装置１は、電子回路１９によって独立して駆動可能であった??二つのグループに配置された同じタイプ（この場合のＬＥＤで）の光源の数を有していた。図１０は、光源異なるタイプの、設計、型、技術等を変化させるそれぞれの人間を有する代替実施形態を示す。本実施形態の一般的な操作は、発光体の２種類以上有利に、図１に示す実施形態に比べていくつかの改善を達成するために利用され得ることを除いて、同様である。これらの改善は、安全性や部品寿命の増加マージン光出力の消費電力の詩の質と量の減少、製造コスト、および冗長性を内蔵しています。特に、この構成は、電源障害がある場合、次照明用に最適化された光源は、一次電源が存在し、（それらを駆動するため低消費電力を必要とする）の緊急照明用に最適化された光源を使用することができたときに使用することができ。このマルチエミッタアプローチのさらなる利点は、プライマリエミッタ間のみの使用のために残っている１９れる電子回路内のシステムを分離するためのスコープを持つ、非常用照明システムのための特に重要な冗長性、ビルトインを通じて拡張製品寿命や安全マージンのための潜在的含める主なモード。
【０１２３】
図１０に示す実施形態では、２つの異なる光源は、ＬＥＤアレイ（複数可）９１および関連するバラスト回路９５とコンパクト蛍光管９３を備える。電子制御回路１９は、一次電源がプライマリモードでＬＥＤアレイ（複数可）９１及び／又はコンパクト蛍光灯９３を動作させるための電力を提供し得るように接続金具５に、（典型的には２本のワイヤを含む）接続９７によって、接合されている、以前のように把握する外部回路条件にセンシングインピーダンスのために利用されている同じ接続９７。適切な二次側電源（例えば、バッテリー１７のような）少なくともＬＥＤアレイ（複数可）９１に電力を供給するために以前のようにバックアップ電源を提供することができる。
【０１２４】
電子回路１９は、一次電源が利用可能になった（潜在的にＬＥＤアレイ９１からの光によって増大）次モード動作のためにコンパクト蛍光管９３を利用してのような光源９１および／または９３、の組み合わせを制御し、利用することができる一次電源が遮断され、唯一の二次電源が利用可能な場合に、セカンダリモードの間の唯一の発光体としてＬＥＤアレイ（複数可）９１。この実施形態では、コンパクト蛍光管９３は、動作の一次モードでＡＣ電源から一次直接電力を供給することができる。これは、一次直接入力電源端子３３と、蛍光管９３とプロセッサ３５や電源ユニット３１により制御される接続されるリレースイッチで蛍光管９３に使用される出力ドライバ５０に置き換えることによって達成することができる。
【０１２５】
この実施形態では、電子回路１９は、通常、一次照明に用いる光源が不良であるか、または失敗した場合、例えば、検出するための回路を含むことができる。そうであれば、その後電子回路１９は、代わりに一次照明用の他の光源を使用することができます。電子回路１９は、光源（及び光源が動作している場合、この測定値から推測する）の端子間のインピーダンスを測定又は光源が実際に製造されているかどうかを検出できる光センサを使用するかなどの故障を検出することができる光や電流測定技術を用いて。
【０１２６】
上述した主な実施形態では、照明装置１は、単一の一体型デバイスであった??。代替の実施形態では、構成要素の一部と機能の一部は、照明装置（例えば、従来の電球のような）への電力供給を制御する別のデバイスに移動させることができる。これは、従来の電球とランプ保持具の間に位置するインライン?アダプタを使用して、例えば、達成することができる。例えば、インラインアダプタ実施形態は、図１１に示されている。図示のように、インラインアダプタ１０１は、一次電源１０３および従来の照明デバイス（またはデバイス）１０５の間に位置する。インラインのアダプタ１０１は、図１１、又は、図１１ｂに示した例のように永続的インストールに示す構成のように、容易に交換可能な装置であってもよい。
【０１２７】
インラインのアダプタ１０１は、通常、適切なハウジング内に封入又はケーシング１０７、第１の実施形態と同様の電子回路１９を有する。そして、これは一次電源１０３に機械的及び電気的接続を提供する適切な空いているランプホルダ２４には、インラインアダプタ１０１の嵌合５−１を接続することにより、既存の点灯回路に後付けすることができる。単一の従来の電球１０５として示さランプや照明器具た複数のランプ保持具１０９を灯具５−２、機械的及び電気的インタフェースを有することはインラインアダプタ１０１の一部を形成する。
【０１２８】
基本モード動作中に、１１３などの電子回路１９によって制御可能な機械又はソリッドステートリレー等のスイッチング素子１０３から一次電源からの電力は、電球１０５に電力を供給する目的のためにランプ保持具１０９にルーティングすることができる。従来の電球の場合に特定の種類の外部スイッチの位置を検出するために必要なインピーダンス感知技術を確実に行うことができないので、このスイッチング素子１１３（電子回路１９によって制御され、これはインラインアダプタ実施形態に固有の重要な要件であることができる）低内部インピーダンスを有するものが第１電源端子１０３の両端に接続されている−このような従来の低インピーダンスの電球の存在は実際には開いているときに、手操作可能スイッチ２６は、回路を閉じていることを決定するために、感知回路３７を引き起こす可能性がある回路。従って、インピーダンス測定がなされるようにする場合には、スイッチング素子１１３は、供給１０３から従来の電球１１１を切断する活性化される。
【０１２９】
（なぜなら、スイッチング素子１１３の存在）本実施形態では、電子回路１９によって行うことができる付加的な特徴は、それがなくてプライマリモード中にインラインアダプタ１０１に光源９１の照射を可能にすることができるということである従来の電球１０５を照らす。これは便利なＬＥＤアレイ９１内に一体化例えば、ここに示した通信振動子２５を用いて、このような外部ユーザ制御リモートコントローラからの外部装置から受信した信号によってトリガすることができる。
【０１３０】
電子回路１９はまた、一次電源はインラインアダプタ１０１に利用可能である場合、電子回路１９は依然として有用を提供することができるように、アダプタ１０１からの故障や電球１０５の除去を検出する能力を有していてもよいＬＥＤアレイ９１を用いた照明は、一次電源から電力を供給。電球１０５が故障しているか、またはアダプタ１０１から取り外されていることを感知電気インピーダンスの両端又はランプホルダ１０９の端子を流れる電流を測定することを含む様々な方法によって達成することができる。具体的には、電球の１０５が故障しているか、またはホルダー１０９から削除されたときにランプ保持具１０９の端子間に高インピーダンスがあるだろう。この高インピーダンスは、ランプホルダ１０９（ランプホルダ１０９はスイッチング素子１１３を用いて次電源１０３（の残りの部分から分離されたとき）の入力端子間に試験電圧を印加し、電流を描画検知することによって検出することができる。あるいは、一次電源１０３がランプホルダ１０９の端子に供給されると、ランプホルダ１０９によって引き出される低電流はまた、失敗したか、または除去電球１０５を示す。このような低電流が電圧降下を測定することによって検出することができる意図的に含まれている抵抗の両端（図示せず）は、または任意の他の電流検出変換器を使用して、ランプホルダ１０９の端子に直列に接続されている。
【０１３１】
代わりに、そのような電気的検出方法（失敗または除去電球１０５を検出するための）を使用する、一つ以上の光センサに代えて、外部の周囲光のレベルを測定するために用いることができる。そのような感光性半導体装置１１７は、好都合ＬＥＤアレイ１１内に統合、図１１ａに示されている。この感光性半導体装置１１７を制御および監視電子回路１９によって、及び電球１０５は、スイッチング素子１１３の前後に光のレベルの変化を監視するの方法で有用な照明を生産している場合に確認するために用いることができるが接続するように活性化される一次電源１０３にランプホルダ１０９。光量の目立った増加が観察されない場合、電球１０５が故障しているか、またはそのホルダ１０９から取り外されている高い可能性がある。
【０１３２】
関係なく使用される検出方法の、そのような機能は、ミッションクリティカルな展開で望ましい、と大幅に操作のそのプライマリモードでのインラインアダプタ１０１の信頼性と汎用性を向上させます。具体的には、アダプタ１０１は、最初に失敗したランプを検出すると、自動的にユーザにプライマリ電球１０５が失敗したことを視覚的に警告を与えるために二次光源（複数可）１１に切り替えることができる−光がでオフに切り替えられていてもスイッチ２６。この初期警告は次いでオン?オフスイッチ２６を切り替えることにより、例えば、ユーザによってオフにすることができる。その後、ユーザがスイッチ２６で切り替えるたびに、照明は一次電球１０５が交換されるまで、第二光源（複数可）によって提供される。彼らが失敗したか、削除さ電球１０５を交換する際にさらに、電球１０５が故障したか、削除されたバックアップの緊急照明を提供するには、ユーザーのために光を提供します。
【０１３３】
ユーザによって選択され、又は、ユーザが操作可能なリモートコントローラなどの外部制御装置を介して電子回路１９のメモリに記憶された優先条件内で事前に選択することができるように感光性半導体装置１１７は、さらに、他の専門の機能を実行するために利用され得るすなわち、通信変換器２５を介して、インラインアダプタ１０１と通信する。専門家機能は、例えば、電球のための能力１０５および／または周囲光のレベルがに対して測定され（従来の照明の規定）がある場合に、所定の時間間隔のため、利用可能な電源からの照明を提供することでＬＥＤアレイ９１を含むことができる経時的に１つ以上のしきい値を下回る。
【０１３４】
インライン装置１０１の別の実施形態は図１１ｂに示されて、その中にインラインアダプタ１０１’はに近接や天井内に組み込まれている電気的接続と吊り下げライト１１１の機械的なサスペンションのための通常の接合を形成する上昇（図のように）、複数のランプのシャンデリアなど。システムなどの動作は、図１１Ａについて概説と同じままです。
【０１３５】
したがって光配列９１は吊り下げライト電球１１１と上記のその有利ポジショニングのためにそうしないと二次モードまたは、で、より顕著な照明を提供することがあります。この図では、光アレイ９１は、照明ケーブル１２１を介してランプホルダ１０９の分離によって作成された追加スペースを利用する複数のリングに配置された個々のＬＥＤ発光体９から複数形成されている。それは少なくとも部分的に、既存のハードウェア及び又は便利に利用可能なスペースの空隙を使用する同様の筐体に収容されてもよいので、また、このようなインラインの装置１０１’の美的設計上の制約は、ここで部分的にシーリング接合部１２３内に位置するように、調和している。
【０１３６】
図１１ｂに示すように、インライン装置１０１は、より永続的にインストールされるように設計されている。したがって、嵌合５−１電線又はケーブルが接続さを可能にする適切な電気的インタフェースに置き換えられている。図１１ｂに示す例では、１２５筐体１２７内に収容された端末を複数のブロックに、そのような配置を示してよいし、インラインアダプタ１０１の本体筐体ハウジング１０７と一体化されてないかもしれない。エンクロージャ１２７はインラインアダプタ１０１の主ハウジング１０７から分離されている場合は、追加の着脱可能なインターフェイスは、筐体１２７および１０７内のコンポーネントを相互接続するために含まれ得る。これは、必要に応じてこのようなプリインストール天井などの既存のインタフェースを改造するためにインラインアダプタ１０１の能力を含むような半永久インライン実施形態では、便利な互換性を可能にするという利点をもたらし、さまざまな中断の直接的な交流を可能にしているローズ照明装置は、手動、電気インストールすることなく利用することができる。さらなる利点は、メインハウジング１０７が可能簡単にバッテリー１７交換に大きいアクセシビリティとインライン装置１０１及び一次電源１０３との間に永続的な電気的接続をすることではないで自然に、安全性と時間の利点があります。
【０１３７】
上述したメイン実施形態では、照明装置を制御するための電子回路１９は、照明装置自体のハウジング内に取り付けた。代替実施形態では、光源を制御するために使用される電子回路１９は、別個のハウジング内に設けてもよい。そのような実施形態は、本発明は、従来の’低電圧’ランプが、例えば、操作できることを可能にする。このような従来の低電圧ランプは典型的には、照明器具を複数形成する複数の低電圧発光体を備える。これらのようなＧＵ系ホルダとして、従来のランプ保持具にＬＥＤを改造近年利用されているが、歴史的に、通常の白熱灯、タングステンハロゲン技術を紹介。このような低電圧照明システムは、典型的には、通常、従来の変圧器またはスイッチモード電源回路を備える電源ユニット（ＰＳＵ）によって提供される５０ボルト（ＡＣまたはＤＣのどちらか）以下電源電位の差を利用する。ＰＳＵは、典型的には、それが変換され、一つ以上の照明デバイスに電力を供給するために供給する一次電源によって供給される。残念なことに、図１に示す照明装置１は、直接このような低電圧の照明システムにレトロフィットメントに向いていない。離れて照明装置１の全体の大きさから、主な問題は、その上に一次電源への直接接続が存在しないため、パワー低電圧照明感知回路３７によって実行される通常のインピーダンスの検出を阻害することＰＳＵ部ＰＳＵの入力側。この問題に対する１つの回避策は、点灯回路の任意のユーザー操作可能なスイッチはＰＳＵの出力側にはなく、入力側に配置されるように２８の配線を再配置することです。しかし、同様に再配線を実行するために必要な付加的な努力として、このような構成はまた、一次電源が常時ＰＳＵの入力に供給され、これは常にＰＳＵに伴う熱損失による非効率の原因となることを意味する。
【０１３８】
一方、従来の低電圧ＰＳＵは変性ＰＳＵによって置換されている場合、図３に示す電子回路１９の少なくとも主要なコンポーネントが含まれ、これは、これらの問題を克服する。このような実施形態を模式的に図１２に示されている。図示のように、電子回路１９は、感知回路３７は、一次電源端子３３全体のインピーダンスを感知できるように、点灯回路２８上のどこにでも配置することができる別個のハウジング１３１に取り付けられている。この場合、ハウジング１３１はまた、バッテリー１７の形態の二次電源装置を備えている。出力端子（ｓ）は、電子回路１９?４９および／または５１は、（図３に示される）を直接、従来の低電圧ランプ保持具（単数または複数）１３３に接続されているので、低電圧灯１３４は、電源のいずれかによって給電される次電源および／または二次電源（本例ではバッテリー１７）に由来する電力から誘導される。このような実施形態では、二次電源（バッテリーなど）電子回路１９またはそのロフトまたは天井空間に、例えば、別途設けてもよいと同じハウジング１３１内に取り付けてもよいし、電子回路に接続されているターミナル３４の１９。二次電源に直接低電圧灯に電力を供給するか、電圧変換ＰＳＵ等（図示せず）を介してもよい。
【０１３９】
ハウジング１３１は、追加の出力端子通常の方法（即ち、必要なＤＣ電源電圧にＡＣ電源電圧から換算）で変換された供給信号を受ける４９を含むことができる−これらの追加の出力端子に接続されているライトは、緊急電力を受け取らないようにする一次電源に障害が発生した場合にバックアップバッテリー。このようにして、変更されたＰＳＵ１３１はランプホルダ１３３の数を制御することができるが、これらだけランプホルダのサブセットに緊急照明を提供することができる。
【０１４０】
代わりに光源の（単数または複数）を直接ハウジング１３１内の電子回路１９の４９の出力端子に接続され、電子回路１９は、電源にそれらを指示する照明装置（複数可）への通信振動子２５を用いて制御信号を送信することができる独自の二次側電源（例えば、自身のバッテリーなど）から二次電源を使用して、光源（複数可）。図１３は、このような実施形態を示す図である。このような電磁（例えばＲＦまたは赤外線）又は音響など−前述のように、通信変換器２５は、任意のタイプのものであってもよい。５ハウジング内の電子回路１９から送信された制御信号が１３１は照明装置１に搭載された対応する通信変換器２５によって受信される。この実施形態では、電子回路１３５は、感知回路３７を持っている必要がない照明装置１に搭載された。リモートハウジング１３１に取り付けられた電子回路１９と通信できるように−それは、通信回路４５が必要、電源ユニット３１−第一の電源から又は照明装置自体の関連する二次電源のいずれかからの電力の印加を制御する１７と適切な出力ドライバ（秒）５０またはリレーを供給。当業者には理解されるように、照明装置１とハウジング１３１内の回路との間の通信は双方向であってもよい−ように、例えば、照明装置１は、バック回路への制御信号の受信を確認できることにハウジング１３１内に。このような双方向通信はまた、物理的な接触を必要とせずに、診断または自己テスト用照明装置１の遠隔テストを可能にする。例えば、制御信号は、自己テストを実行し、診断表示器８を介して診断結果を出力するように、ハウジング１３１内の回路に結果を送信するように照明装置１に指示することができる。このように異なる動作モードにある間の期間として、測定されたインピーダンス値等−ハウジング１３１に戻って送信される情報はまた、照明装置１の動作統計情報を含むことができる
ハウジング１３１はまた、ユーザが筐体１３１内の回路を通信するように配置されると共に２５照明装置１を制御するための制御コマンドを、ユーザの設定等を入力することを可能にするユーザインタフェース（キーパッド、ディスプレイスイッチなど）を含むことができる。
【０１４１】
代わりに、無線リンクを介して制御信号を送信すると、電子回路１９は、ハウジング１３１には、照明装置（複数可）に回線１を供給する一次電源の制御信号を送信することができる取り付けられている。手動操作スイッチ２６のいずれが３０開回路である場合この場合には、照明装置１は、制御信号を受信しない。しかし、これはユーザーが手操作可能スイッチ２６が開放されたときに上に来るように非常用照明を期待されていないとしてもかまいません。スイッチ２６が閉じられると、照明装置１は、（これは、連続的または断続的にハウジング１３１内の回路によって送信することができる）制御信号を受信し、したがって、その二次側電源からの電力を使用して、非常用照明をオンにする。
【０１４２】
さらなる代替として、ハウジング１３１内の回路は、一次電源がその入力に存在している一方で制御信号を送信し、電源障害がある場合は、制御信号の送信を停止するように構成することができる。このような実施形態では、ハウジング１３１内の回路は独自の二次電源１７を必要としないであろう。照明装置１は、ハウジング１３１内の回路から制御信号を受信している限り、彼らは一次電源が（おそらくユーザー操作可能なスイッチ２６でオフが）入手可能です知っているだろう。照明装置１は、制御信号の受信を停止した場合、その一次電源が失われたと仮定することができ、それは、直接、その二次側電源からの光源（複数可）を照らすことができるか、またはそれが最初の感覚に試みることができる場合、ユーザの任意の操作可能なスイッチ２６は、二次側電源からの電力を使用する前に、第一の開回路である（この場合はもちろん、照明装置における電子回路１３５は、感知回路３７を必要とする）。
【０１４３】
この実施形態のさらなる代替として、電子回路１９は、電源ラインを横切っインピーダンスを感知する必要がないハウジング１３１に取り付けられている。ハウジング１３１は、メインヒューズや回路遮断器の建物２２に近いマウントされている場合、ハウジング内の回路は、単に一次電源がある場合に検知することにより、電源障害を検出することができる。一次電源が失われた場合には、ハウジング１３１内の回路は、照明装置（複数可）１への電力の損失を知らせることができる。有利なことに、これは点灯回路２８を介してシグナリングされることが可能−スイッチ２６が開回路である場合、制御信号が照明装置１に到達しないので、彼らは緊急照明を生成しないようにする。スイッチ２６が閉じている場合は、それらは、制御信号を受信すると自動的に二次電源からの電力を使用して、光源（複数可）に切り替えることができる。
【０１４４】
一実施形態では、地域または国のコントロールセンターが異なる建物内の照明装置１を制御するために設けられてもよい。例えば、リレーなどの適切な装置を用いて単離する第１電源端子３３から自分の光源を切断することによって、−例えば、制御信号は、それらの動作を抑制するために、照明装置１に送信することができる。ユーザは、光スイッチに切り替えた場合でもこのように、照明装置１は、光生成されません。これは、夜間建物の照明をオフにする、例えば、使用することができる。逆に、一つ以上の照明デバイスをリモートで所定の領域を照明するためにスイッチオンするように制御することができる。これらの遠隔制御装置は、スタンドアロンデバイスにしてもよいし、それらはより大きなシステムの一部であってもよい−例えば、警報システムなど。乗員の脱出又は捜索救助を支援するための緊急照明を提供する−例えば、火災が建物内に検出された場合には、建物のその部分の照明装置１は、遠隔に切り替えるように制御することができる。当業者は、異なるデバイスの数との間の通信を伴う任意のこのようなシステムでは、理解されるように、それらはそれぞれ通信が照明の各グループに対して少なくとも個々の照明装置１を標的とすることができるように、アドレスまたはＩＤ番号を必要とするデバイス。このようなすべての緊急照明は点灯させるために、’緊急’信号として−もちろん、すべてのデバイスのための信号はアドレスなしで送信されてもよい。
【０１４５】
任意に、一つ以上の検出装置（例えば、煙や火災検出）は照明装置１又はそれに隣接した内に一体的に設けられてもよく、それらは同じ一次電源または動作させる二次電源を使用することができる。このような実施形態では、二次電源（バッテリーなど）のバッテリー容量が閾値以下容量を下回った場合、緊急照明用バッテリーの使用を阻害するインテリジェントな監視を介して、例えば、その配置に分割することができる。準備を維持するためにバッテリーがなる前に内蔵の検出装置（複数可）の、検出イベントの継続動作を可能にする力の店舗、十分な時間のためにバッテリーからの緊急照明の条項は完全に枯渇。火災が検出されたときのように−電源障害がある場合、この方法では、二次供給の電荷は、その緊急照明が依然として重大な緊急事態の間に設けることができない空乏化されない。このような実施形態では、照明装置１は、火災や煙警報が活性化され、ひいては、その緊急照明機能を作動させることができるときに検出する光学又は音響受信機を含むことができる。あるいは、照明装置１を直接警報から、または中央警報ステーションから電気制御信号によって活性化するように指示することができる。
【０１４６】
照明装置１は、緊急信号が受信された照明及び又は検出された緊急状態を補強することができる緊急時に警報音を生成するための可聴エミッターを含むことができる。可聴アラームがユーザ設定可能なパラメータに従って、一次又は二次のいずれかの動力源によって駆動することができる。
【０１４７】
電源障害またはその他の定義されたイベントが発生した場合に必要に応じて、アラームは、緊急照明を増大させることができる。例えば、可聴音が運転状態の変化に生成することができる、あるいは特定の動作条件（例えば、低バッテリーや機器の故障など）が検出されたとき。アラームは断続的または連続的にアラームを起動した状態または状態の可聴表示をユーザに提供することができる。この構成は、照明装置は、照明装置と比較して、同等の明るさである緊急照明を提供するように構成されている実施形態では、その二次動作モードに入ったときに電源障害が発生したことをユーザに警告するための例に特に有利かもしれない一次電源（そうしないと気付かれないかもしれない故障）を搭載した照明。アラームはさらに、そのような延長された二次モード動作の後などの低バッテリー状態の警告音を提供するために使用することができる。
【０１４８】
変形例では、同様にユーザが明る二次モード動作時のレベル、最小発光期間を設定またはプリセットされてもよい（リモート通信モジュールを介して、又は製造時に）、照明装置によって使用される電力を制御することができる二次光の生産の最小時間を確保するために推定または測定されたバッテリー容量（上述したような診断方法から決定される）に応じて光源の明るさを（任意の最小明るさレベルセットまたはプリセットを使用）、減少させることによって制御することができる。念頭に置いて照明規制（緊急時の照明のための英国の最低３時間）で、そのような方法は、必要に応じて正確なバッテリー容量の推定によると明るさと持続期間の間で最良の妥協点を与えるように、時間の経過とともに明るさを変化させ、効率を向上させることができます。このようなバッテリー容量の予測は、測定された吐出データを使用すると、当然のことながら、時間および使用上のアカウント劣化にかかる決定した。
【０１４９】
第１実施形態で説明した診断テストはまた、光源（複数可）７または個々のエミッタ９又はそのアレイ１１のような他のシステム要素の機能と、性能を確認するために実施することができる。たとえば、図１１のインラインアダプタの実施形態で示した光センサ１１７は、まとめて発光素子に必要な標準または閾値に実行されていることを確認するために用いることもできる。測定値は、代替的に解析し、明るさ調整や光源ドライバ（複数可）によってそのオプションのフィードバックの目的のために用いることができる。
【０１５０】
変形例では、光源７によって生成された明るさレベル１７．７８出力ドライバ５０を介して制御プロセッサ３５を介して調節可能な可変パラメータであるか、そうでなければ、任意の光源（複数可）７によって生成される光の色温度がよいまた変えること。これは、このようなＬＥＤ光源のような様々な方法によって達成することができ、個々の発光素子１１および／または配列９に記載のアレイまたはＬＥＤの明るさを変更すると、その中に従ってから放出される光の全体的な色温度の分散を可能にする、異なる色温度を有する照明装置１内の光源（７）。このような差異は、有利にはこのような微妙な色温度の好み（例えば暖かい白詩はクール白色光）を達成したり、気分や大気中の照明用フル’ＲＧＢ’色範囲を可能ように、生成される光の品質の制御を可能にするために利用することができる。このような制御は、通信モジュール４５又は他の方法で、又は所望により、診断モジュール４１を交換するか、または増強することができる視覚的な診断システムを形成するなどの戦略的目的のために、プロセッサ自体による介して遠隔制御装置を介して、ユーザによって実施することができる。
【０１５１】
また、上記実施形態では、照明装置１は、一次電源回路として次電源に接続するための第１電源端子対を持っていた。また、端末の別の（独立した）ペアは、他の電源に照明装置を接続するための照明装置を設けてもよい。この他の動力源は、太陽バッテリーや風力タービンなどの再生可能エネルギー源から、例えば、とすることができる。この付加的なＡＣ又はＤＣ電源から受け取った電力は、光源及び／を点灯したり、任意の追加の電源制御や照明装置の内部又は外部の管理回路を介してバッテリー１７を充電するために使用することができる。
【図１】
2014512648.tif 000003
【図２】
2014512648.tif 000004
【図３】
2014512648.tif 000005
【図４】
2014512648.tif 000006
【図５−１】
2014512648.tif 000007
【図５−２】
2014512648.tif 000008
【図６】
2014512648.tif 000009
【図７】
2014512648.tif 000010
【図８】
2014512648.tif 000011
【図９】
2014512648.tif 000012
【図１０】
2014512648.tif 000013
【図１１ａ】
2014512648.tif 000014
【図１１ｂ】
2014512648.tif 000015
【図１２】
2014512648.tif 000016
【図１３】
2014512648.tif 000017
【国際調査報告】
2014512648.tif 000018
2014512648.tif 000019
2014512648.tif 000020
2014512648.tif 000021
2014512648.tif 000022
2014512648.tif 000023
2014512648.tif 000024
2014512648.tif 000025
2014512648.tif 000026
2014512648.tif 000027